(57)【要約】【課題】広告を均等に選択して配信することにより、ユーザの属性の相違によって宣伝機会が失われたり、広告に対する印象・興味が薄れ、嫌悪感を抱いてしまうことなく、販売活動の促進が効率良く達成されるようにした広告配信システムを提供する。【解決手段】広告配信者端末２０から送信された広告と広告配信依頼情報とを関連付けて広告配信管理装置１０Ａに記憶する。また、ユーザ端末３０Ａから送信されたユーザ情報に識別情報を付与して広告配信管理装置に記憶する。その後、広告配信管理装置は、ユーザ端末から送信されたＷｅｂサイト閲覧要求に応じてユーザの識別情報を取得し、ユーザ情報記憶部を参照してユーザが配信を承認する広告が属するカテゴリ情報を全て抽出する。また、当該カテゴリ情報の中から一つのカテゴリ情報を決定する。さらに、当該カテゴリ情報に属する広告の中から一つの広告を決定し、当該広告をユーザ端末へ送信する。【選択図】図１
2007200168.tif 000002
【特許請求の範囲】
【請求項１】
ユーザがネットワークを通じて閲覧する通信サイト画面に特定の広告を掲載する広告配信システムであって、
上記広告の配信を依頼する広告配信者が利用する広告配信者端末と、上記広告が掲載された通信サイトを閲覧するユーザが利用するユーザ端末と、これら上記広告配信者端末及び上記ユーザ端末とネットワークを通じて通信可能に接続された広告配信管理装置とを備え、
上記広告配信者端末は、
配信を依頼する広告と共に、少なくともこの広告が分類される区分を示すカテゴリ情報を含む広告配信依頼情報の入力を受け付けて広告配信管理装置へ送信する広告配信依頼手段を有し、
上記ユーザ端末は、
少なくともユーザにより配信を承認された広告が分類される区分を示すカテゴリ情報を含むユーザ情報の入力を受け付けて広告配信管理装置へ送信する配信承認広告指定手段と、
ユーザを特定する識別情報の入力を伴う通信サイトの閲覧要求を受け付け、広告配信管理装置へ送信する通信サイト閲覧要求手段と、
ユーザ情報に基づいて決定された広告と閲覧要求した通信サイト情報とを広告配信管理装置より受信し、この広告が掲載されたサイト画面を表示する通信サイト表示手段と、
を少なくとも有し、
上記広告配信管理装置は、
広告と広告配信依頼情報とを広告配信者端末から受信する広告配信依頼受付手段と、
広告配信依頼受付手段にて受信した広告と広告配信依頼情報とを関連付けて記憶する広告配信者情報記憶手段と、
ユーザ情報をユーザ端末から受信するユーザ情報受付手段と、
ユーザ情報受付手段にて受信したユーザ情報にユーザの識別情報を付与して記憶するユーザ情報記憶手段と、
ユーザの識別情報を含む通信サイトの閲覧要求をユーザ端末から受信する通信サイト閲覧要求受付手段と、
通信サイト閲覧要求受付手段にて受信した閲覧要求からユーザの識別情報を取得し、ユーザ情報記憶部を参照して、この識別情報に基づきカテゴリ情報を抽出するカテゴリ抽出手段と、
抽出したカテゴリ情報の中から一つのカテゴリ情報を決定するカテゴリ決定手段と、
カテゴリ決定手段でのカテゴリ情報の決定後、広告配信者情報記憶部を参照して、決定したカテゴリ情報に属する広告を決定する広告決定手段と、
閲覧要求があった通信サイト情報と共に、決定した広告をユーザ端末へ送信する広告配信手段と、
を少なくとも有することを特徴とする広告配信システム。
【請求項２】
ユーザがネットワークを通じて閲覧する通信サイト画面に特定の広告を掲載する広告配信システムであって、
上記広告の配信を依頼する広告配信者が利用する広告配信者端末と、上記ユーザが閲覧する通信サイトを提供するサイト管理者が利用するサイト管理者端末と、上記広告が掲載された通信サイトを閲覧するユーザが利用するユーザ端末と、これら上記広告配信者端末、上記サイト管理者端末、及び上記ユーザ端末とネットワークを通じて通信可能に接続された広告配信管理装置とを備え、
上記広告配信者端末は、
配信を依頼する広告と共に、少なくともこの広告が分類される区分を示すカテゴリ情報を含む広告配信依頼情報の入力を受け付けて広告配信管理装置へ送信する広告配信依頼手段を有し、
上記サイト管理者端末は、
少なくともサイト管理者が掲載を許諾する広告が分類される区分を示すカテゴリ情報及び広告の掲載先を指定する掲載先情報を含む広告掲載許諾情報の入力を受け付けて広告配信管理装置へ送信する広告掲載許諾サイト指定手段を有し、
上記ユーザ端末は、
通信サイトの閲覧要求を受け付け、広告配信管理装置へ送信する通信サイト閲覧要求手段と、
広告掲載許諾情報に基づいて決定された広告と閲覧要求した通信サイト情報とを広告配信管理装置より受信し、この広告が掲載されたサイト画面を表示する通信サイト表示手段と、
を少なくとも有し、
上記広告配信管理装置は、
広告と広告配信依頼情報とを広告配信者端末から受信する広告配信依頼受付手段と、
広告配信依頼受付手段にて受信した広告と広告配信依頼情報とを関連付けて記憶する広告配信者情報記憶手段と、
広告掲載許諾情報をサイト管理者端末から受信するサイト管理者情報受付手段と、
サイト管理者情報受付手段にて受信した広告掲載許諾情報を記憶するサイト管理者情報記憶手段と、
通信サイトの閲覧要求をユーザ端末から受信する通信サイト閲覧要求受付手段と、
通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、
抽出したカテゴリ情報の中から一つのカテゴリ情報を決定するカテゴリ決定手段と、
カテゴリ決定手段でのカテゴリ情報の決定後、広告配信者情報記憶部を参照して、決定したカテゴリ情報に属する広告の中から一つの広告を決定する広告決定手段と、
閲覧要求があった通信サイト情報と共に、決定した広告をユーザ端末へ送信する広告配信手段と、
を少なくとも有することを特徴とする広告配信システム。
【請求項３】
広告の配信を依頼する広告配信者が利用する広告配信者端末と、広告が掲載された通信サイトを閲覧するユーザが利用するユーザ端末と、通信ネットワークを介してそれぞれ接続され、ユーザがネットワークを通じて閲覧する通信サイト画面に特定の広告を掲載する広告配信管理装置であって、
配信を依頼する広告と、少なくともこの広告が分類される区分を示すカテゴリ情報を含む広告配信依頼情報とを上記広告配信者端末から受信する広告配信依頼受付手段と、
広告配信依頼受付手段にて受信した広告と広告配信依頼情報とを関連付けて記憶する広告配信者情報記憶手段と、
少なくとも配信を承認する広告が分類される区分を示すカテゴリ情報を含むユーザ情報を上記ユーザ端末から受信するユーザ情報受付手段と、
ユーザ情報受付手段にて受信したユーザ情報にユーザの識別情報を付与して記憶するユーザ情報記憶手段と、
ユーザの識別情報を含む通信サイトの閲覧要求を上記ユーザ端末から受信する通信サイト閲覧要求受付手段と、
通信サイト閲覧要求受付手段にて受信した閲覧要求からユーザの識別情報を取得してユーザ情報記憶部を参照し、この識別情報に基づきカテゴリ情報を抽出するカテゴリ抽出手段と、
抽出したカテゴリ情報の中からカテゴリ情報を決定するカテゴリ決定手段と、
カテゴリ決定手段でのカテゴリ情報の決定後、広告配信者情報記憶部を参照して、決定したカテゴリ情報に属する広告の中から配信する広告を決定する広告決定手段と、
閲覧要求があった通信サイト情報と共に、決定した広告を上記ユーザ端末へ送信する広告配信手段と、
を少なくとも有することを特徴とする広告配信管理装置。
【請求項４】
前記広告配信依頼受付手段が、広告配信依頼情報として広告の配信先条件を指定する配信先属性情報をさらに受信し、
前記広告配信者情報記憶手段が、広告配信依頼受付手段にて受信した配信先属性情報と広告とを関連付けて記憶し、
前記ユーザ情報受付手段が、ユーザ情報としてユーザ属性情報をさらに受信し、
前記ユーザ情報記憶手段が、ユーザ情報受付手段にて受信したユーザ属性情報とカテゴリ情報とを関連付けて記憶し、
前記カテゴリ抽出手段が、ユーザ情報記憶手段を参照して、カテゴリ情報と共にユーザ属性情報をさらに抽出し、
前記広告決定手段が、広告配信者情報記憶部を参照して、決定したカテゴリ情報に属する広告の中から上記ユーザ属性情報に適合する配信属性を有する一つの広告を決定する
ことを特徴とする請求項３に記載の広告配信管理装置。
【請求項５】
広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載する広告配信管理装置であって、
配信を依頼する広告と、少なくともこの広告が分類される区分を示すカテゴリ情報を含む広告配信依頼情報とを上記広告配信者端末から受信する広告配信依頼受付手段と、
広告配信依頼受付手段にて受信した広告と広告配信依頼情報とを関連付けて記憶する広告配信者情報記憶手段と、
少なくともサイト管理者が掲載を許諾する広告が分類される区分を示すカテゴリ情報及び広告の掲載先を指定する掲載先情報を含む広告掲載許諾情報を上記サイト管理者端末から受信するサイト管理者情報受付手段と、
サイト管理者情報受付手段にて受信した広告掲載許諾情報を記憶するサイト管理者情報記憶手段と、
通信サイトの閲覧要求を上記ユーザ端末から受信する通信サイト閲覧要求受付手段と、
通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、
抽出したカテゴリ情報の中から一つのカテゴリ情報を決定するカテゴリ決定手段と、
カテゴリ決定手段でのカテゴリ情報の決定後、広告配信者情報記憶部を参照して、決定したカテゴリ情報に属する広告の中から一つの広告を決定する広告決定手段と、
閲覧要求があった通信サイト情報と共に、決定した広告を上記ユーザ端末へ送信する広告配信手段と、
を少なくとも有することを特徴とする広告配信管理装置。
【請求項６】
前記広告配信依頼受付手段が、広告配信依頼情報として広告の配信先条件を指定する配信先属性情報をさらに受信し、
前記広告配信者情報記憶部が、広告配信依頼受付手段にて受信した配信先属性情報と広告とを関連付けて記憶し、
前記サイト管理者情報受付手段が、広告掲載許諾情報としてユーザ属性情報をさらに受信し、
前記サイト管理者情報記憶部が、サイト管理者情報受付手段にて受信したユーザ属性情報とカテゴリ情報及び掲載先情報とを関連付けて記憶し、
前記カテゴリ抽出手段が、サイト管理者情報記憶部を参照して、カテゴリ情報と共にユーザ属性情報をさらに抽出し、
前記広告決定手段が、広告配信者情報記憶部を参照して、決定したカテゴリ情報に属する広告の中から上記ユーザ属性情報に適合する配信属性を有する一つの広告を決定する、
ことを特徴とする請求項５に記載の広告配信管理装置。
【請求項７】
前記広告配信者情報記憶部が、広告配信依頼受付手段にて受信したカテゴリ情報を階層的に記憶し、
前記カテゴリ決定手段が、カテゴリ情報の階層数に応じてカテゴリ情報の決定を繰り返すことを特徴とする請求項３乃至６の何れか１項に記載の広告配信管理装置。
【請求項８】
予め通信サイト情報と、通信サイト画面に掲載される広告の掲載枠数情報とを関連付けて記憶するサイト情報記憶手段と、
前記通信サイト閲覧要求受付手段での通信サイトの閲覧要求の受信に応じてサイト情報を取得し、サイト情報記憶部を参照してサイト情報に基づき広告の掲載枠数を特定する広告掲載数特定手段と、
をさらに有し、
前記広告決定手段は、広告掲載数特定手段にて特定された広告掲載枠数に応じて、前記カテゴリ決定手段にて決定したカテゴリ情報に属する広告情報の中から広告の決定を繰り返すことを特徴とする請求項３乃至６の何れか１項に記載の広告配信管理装置。
【請求項９】
予め通信サイト情報と、通信サイト画面に掲載される広告の掲載枠数情報とを関連付けて記憶するサイト情報記憶手段と、
前記通信サイト閲覧要求受付手段での通信サイトの閲覧要求の受信に応じてサイト情報を取得し、サイト情報記憶部を参照してサイト情報に基づき広告の掲載枠数を特定する広告掲載数特定手段と、
をさらに有し、
前記カテゴリ決定手段は、広告掲載数特定手段にて特定された広告掲載枠数に応じてカテゴリ情報の決定を繰り返し、前記広告決定手段は、前記カテゴリ決定手段でのカテゴリ情報の決定に応じて広告の決定を繰り返すことを特徴とする請求項３乃至６の何れか１項に記載の広告配信管理装置。
【請求項１０】
前記広告決定手段にて決定される露出率を高める露出率変動情報を前記広告配信者端末から受信する露出率変動情報受付手段と、
露出率変動情報受付手段にて受信した露出率変動情報を、広告の配信を依頼した上記広告配信者毎に関連付けて記憶する露出率変動情報記憶手段と、
をさらに有し、
前記広告決定手段は、広告の決定前に露出率変動情報記憶部を参照して露出率変動情報を特定し、この露出率変動情報に基づいて広告を決定することを特徴とする請求項３乃至９の何れか１項に記載の広告配信管理装置。
【請求項１１】
広告の配信を依頼する広告配信者が利用する広告配信者端末と、広告が掲載された通信サイトを閲覧するユーザが利用するユーザ端末と、に通信ネットワークを介してそれぞれ接続された広告配信管理装置を備え、ユーザがネットワークを通じて閲覧する通信サイト画面に特定の広告を掲載する広告配信方法であって、
配信を依頼する広告と共に、少なくともこの広告が分類される区分を示すカテゴリ情報を含む広告配信依頼情報と、広告と関連付けて記憶する広告配信者情報記憶手段と、
少なくともユーザの識別情報及び、ユーザが配信を承認する広告が分類される区分を示すカテゴリ情報を含むユーザ情報を記憶したユーザ情報受付手段とを有し、
上記広告配信管理装置が、ユーザ端末から送信されたユーザの識別情報を含む通信サイトの閲覧要求を通信サイト閲覧要求受付手段にて受信するステップ、
上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、
上記広告配信管理装置が、カテゴリ抽出手段にて抽出したカテゴリ情報の中から一つのカテゴリ情報をカテゴリ決定手段にて決定するステップ、
上記広告配信管理装置が、カテゴリ決定手段でのカテゴリ情報の決定後、広告決定手段にて広告配信者情報記憶部を参照し、決定したカテゴリ情報に属する広告の中から一つの広告を決定するステップ、
上記広告配信管理装置が、閲覧要求があった通信サイト情報と共に、広告決定手段にて決定した広告を広告配信手段よりユーザ端末へ送信するステップ、
上記ユーザ端末が、広告配信管理装置から送信された通信サイト情報と広告とを通信サイト表示手段にて受信し、さらに通信サイト表示手段がこの広告が掲載されたサイト画面を表示するステップ、
を少なくとも有することを特徴とする広告配信方法。
【請求項１２】
広告の配信を依頼する広告配信者が利用する広告配信者端末と、広告が掲載された通信サイトを閲覧するユーザが利用するユーザ端末と、に通信ネットワークを介してそれぞれ接続され、配信を依頼する広告と共に、少なくともこの広告が分類される区分を示すカテゴリ情報を含む広告配信依頼情報と、広告と関連付けて記憶する広告配信者情報記憶手段と、
少なくともユーザの識別情報及び、ユーザが配信を承認する広告が分類される区分を示すカテゴリ情報を含むユーザ情報を記憶したユーザ情報受付手段とを有するコンピュータを広告配信装置として機能させるためのコンピュータプログラムであって、
上記コンピュータに対して、
上記広告配信管理装置が、ユーザ端末から送信されたユーザの識別情報を含む通信サイトの閲覧要求を通信サイト閲覧要求受付手段にて受信するステップ、
上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、
上記広告配信管理装置が、カテゴリ抽出手段にて抽出したカテゴリ情報の中から一つのカテゴリ情報をカテゴリ決定手段にて決定するステップ、
上記広告配信管理装置が、カテゴリ決定手段でのカテゴリ情報の決定後、広告決定手段にて広告配信者情報記憶部を参照し、決定したカテゴリ情報に属する広告の中から一つの広告を決定するステップ、
上記広告配信管理装置が、閲覧要求があった通信サイト情報と共に、広告決定手段にて決定した広告を広告配信手段よりユーザ端末へ送信するステップ、
上記ユーザ端末が、広告配信管理装置から送信された通信サイト情報と広告とを通信サイト表示手段にて受信し、さらに通信サイト表示手段がこの広告が掲載されたサイト画面を表示するステップ、
を実行させるコンピュータプログラム。
【発明の詳細な説明】
【技術分野】
【０００１】
本発明は、広告配信技術に係り、特に、ネットワークを通じてユーザが閲覧する通信サイト画面に、広告を均等に掲載（表示又は露出）することができるとともに、ユーザの特徴に応じて広告を配信できるようにした技術に関するものである。
【背景技術】
【０００２】
近年、インターネットなどのネットワークの普及とそのユーザの増加に伴い、ネットワークを通じて閲覧する通信サイト画面等に、広告を掲載することが盛んに行われており、多くの広告配信システムに関する提案がなされている（たとえば、特許文献１乃至５参照）。
また、インターネットの検索エンジンなどでは、検索キーワードに関連した広告がＷｅｂページの所定の欄に表示される仕組みが提供されている。この仕組みでは、検索するユーザが入力したキーワードについて、そのユーザが、関心が高いことを前提として、当該キーワードに関連付けられた広告情報を提供している。また、広告を出す側は、最初にキーワードごとに入札金額を決めておき、その入札金額の高低に応じて、広告が表示される順位が決定される仕組みになっている。
【特許文献１】特開２００１−２３６４４４号公報
【特許文献２】特開２００２−７４６２号公報
【特許文献３】特開２００２−５６２８０号公報
【特許文献４】特開２００２−３６６８３４号公報
【特許文献５】特開２００３−１６３３４号公報
【発明の開示】
【発明が解決しようとする課題】
【０００３】
しかしながら、従来の広告配信システムでは、Ｗｅｂサイトの種類ごとに興味を持つユーザの属性が特定されており、その属性に向けた広告ばかりが提供されていた。例えば、経済情報の新聞のサイトであれば、株式に関する広告や銀行のローンに関する広告ばかりとなっており、必ずしもユーザの興味が高いとは限らず、広告への興味関心も薄くなってしまうという問題があった。
また、検索エンジンに付随した広告の場合、広告依頼者の入札額が高い広告や、広告掲載依頼件数の多いキーワードに属する広告の選択率が高くなり、入札額が低い広告や、広告掲載依頼件数の少ないキーワードに属する広告などは、その選択率が低いものとなってしまうという問題があった。したがって、あるキーワードに関連する広告ばかりが連続して選択されてしまい、ユーザとしては、特定のキーワードに関連する広告を必要以上に見せられることから、広告に対する印象・興味が薄くなってしまうと共に、嫌悪感を抱いてしまう感がある。
また、従来の検索エンジンの広告配信では、キーワードに関連付けられた広告に対してユーザが興味を持つ広告が提供できおらず、十分な広告効果を得ることができなかった。
【０００４】
また、上述の各文献記載の広告配信システムは何れも、ネットワークを通じて広告を閲覧することとなるユーザの属性と、広告の配信を依頼する広告配信者が希望する対象ユーザの年齢、趣味、居住地域などの属性条件とを比較し、これらが一致したときに広告を選択することで、効果的に広告を配信するようにしているにすぎなかった。
【０００５】
本発明は以上のような従来の実情に鑑みてなされたもので、広告を均等に選択して配信することにより、ユーザが興味の有る分野について満遍なく広告情報を取得することができ、販売活動の促進が効率良く達成されるようにした仕組みを提供することを目的とする。
【課題を解決するための手段】
【０００６】
本発明の第一の広告配信システムは、ユーザがネットワークを通じて閲覧する通信サイト画面に特定の広告を掲載する広告配信システムであって、上記広告の配信を依頼する広告配信者が利用する広告配信者端末と、上記広告が掲載された通信サイトを閲覧するユーザが利用するユーザ端末と、これら上記広告配信者端末及び上記ユーザ端末とネットワークを通じて通信可能に接続された広告配信管理装置とを備え、上記広告配信者端末は、配信を依頼する広告と共に、少なくともこの広告が分類される区分を示すカテゴリ情報を含む広告配信依頼情報の入力を受け付けて広告配信管理装置へ送信する広告配信依頼手段を有し、上記ユーザ端末は、少なくとも配信を承認する広告が分類される区分を示すカテゴリ情報を含むユーザ情報の入力を受け付けて広告配信管理装置へ送信する配信承認広告指定手段と、ユーザを特定する識別情報の入力を伴う通信サイトの閲覧要求を受け付け、広告配信管理装置へ送信する通信サイト閲覧要求手段と、ユーザ情報に基づいて決定された広告と閲覧要求した通信サイト情報とを広告配信管理装置より受信し、この広告が掲載されたサイト画面を表示する通信サイト表示手段と、を少なくとも有し、上記広告配信管理装置は、広告と広告配信依頼情報とを広告配信者端末から受信する広告配信依頼受付手段と、広告配信依頼受付手段にて受信した広告と広告配信依頼情報とを関連付けて記憶する広告配信者情報記憶部と、ユーザ情報をユーザ端末から受信するユーザ情報受付手段と、ユーザ情報受付手段にて受信したユーザ情報にユーザの識別情報を付与して記憶するユーザ情報記憶部と、ユーザの識別情報を含む通信サイトの閲覧要求をユーザ端末から受信する通信サイト閲覧要求受付手段と、通信サイト閲覧要求受付手段にて受信した閲覧要求からユーザの識別情報を取得し、ユーザ情報記憶部を参照して、この識別情報に基づきカテゴリ情報を抽出するカテゴリ抽出手段と、抽出したカテゴリ情報の中から一つのカテゴリ情報を決定するカテゴリ決定手段と、カテゴリ決定手段でのカテゴリ情報の決定後、広告配信者情報記憶部を参照して、決定したカテゴリ情報に属する広告の中から一つの広告を決定する広告決定手段と、閲覧要求があった通信サイト情報と共に、決定した広告をユーザ端末へ送信する広告配信手段と、を少なくとも有することを特徴とする。
【０００７】
また、本発明の第二の広告配信システムは、ユーザがネットワークを通じて閲覧する通信サイト画面に特定の広告を掲載する広告配信システムであって、上記広告の配信を依頼する広告配信者が利用する広告配信者端末と、上記ユーザが閲覧する通信サイトを提供するサイト管理者が利用するサイト管理者端末と、上記広告が掲載された通信サイトを閲覧するユーザが利用するユーザ端末と、これら上記広告配信者端末、上記サイト管理者端末、及び上記ユーザ端末とネットワークを通じて通信可能に接続された広告配信管理装置とを備え、上記広告配信者端末は、配信を依頼する広告と共に、少なくともこの広告が分類される区分を示すカテゴリ情報を含む広告配信依頼情報の入力を受け付けて広告配信管理装置へ送信する広告配信依頼手段を有し、上記サイト管理者端末は、少なくともサイト管理者が掲載を許諾する広告が分類される区分を示すカテゴリ情報及び広告の掲載先を指定する掲載先情報を含む広告掲載許諾情報の入力を受け付けて広告配信管理装置へ送信する広告掲載許諾サイト指定手段を有し、上記ユーザ端末は、通信サイトの閲覧要求を受け付け、広告配信管理装置へ送信する通信サイト閲覧要求手段と、広告掲載許諾情報に基づいて決定された広告と閲覧要求した通信サイト情報とを広告配信管理装置より受信し、この広告が掲載されたサイト画面を表示する通信サイト表示手段と、を少なくとも有し、上記広告配信管理装置は、広告と広告配信依頼情報とを広告配信者端末から受信する広告配信依頼受付手段と、広告配信依頼受付手段にて受信した広告と広告配信依頼情報とを関連付けて記憶する広告配信者情報記憶部と、広告掲載許諾情報をサイト管理者端末から受信するサイト管理者情報受付手段と、サイト管理者情報受付手段にて受信した広告掲載許諾情報を記憶するサイト管理者情報記憶部と、通信サイトの閲覧要求をユーザ端末から受信する通信サイト閲覧要求受付手段と、通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、抽出したカテゴリ情報の中から一つのカテゴリ情報を決定するカテゴリ決定手段と、カテゴリ決定手段でのカテゴリ情報の決定後、広告配信者情報記憶部を参照して、決定したカテゴリ情報に属する広告の中から一つの広告を決定する広告決定手段と、閲覧要求があった通信サイト情報と共に、決定した広告をユーザ端末へ送信する広告配信手段と、を少なくとも有することを特徴とする。
【０００８】
また、本発明の第一の広告配信管理装置は、広告の配信を依頼する広告配信者が利用する広告配信者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載する広告配信管理装置であって、配信を依頼する広告と、少なくともこの広告が分類される区分を示すカテゴリ情報を含む広告配信依頼情報とを上記広告配信者端末から受信する広告配信依頼受付手段、広告配信依頼受付手段にて受信した広告と広告配信依頼情報とを関連付けて記憶する広告配信者情報記憶部、少なくとも配信を承認する広告が分類される区分を示すカテゴリ情報を含むユーザ情報を上記ユーザ端末から受信するユーザ情報受付手段、ユーザ情報受付手段にて受信したユーザ情報にユーザの識別情報を付与して記憶するユーザ情報記憶部、ユーザの識別情報を含む通信サイトの閲覧要求を上記ユーザ端末から受信する通信サイト閲覧要求受付手段、通信サイト閲覧要求受付手段にて受信した閲覧要求からユーザの識別情報を取得してユーザ情報記憶部を参照し、この識別情報に基づきカテゴリ情報を抽出するカテゴリ抽出手段、抽出したカテゴリ情報の中から一つのカテゴリ情報を決定するカテゴリ決定手段、カテゴリ決定手段でのカテゴリ情報の決定後、広告配信者情報記憶部を参照して、決定したカテゴリ情報に属する広告の中から一つの広告を決定する広告決定手段、閲覧要求があった通信サイト情報と共に、決定した広告を上記ユーザ端末へ送信する広告配信手段、を少なくとも有することを特徴とする
【０００９】
また、本発明の第一の広告配信管理装置は、その場合、前記広告配信依頼受付手段が、広告配信依頼情報として広告の配信先条件を指定する配信先属性情報をさらに受信し、前記広告配信者情報記憶部が、広告配信依頼受付手段にて受信した配信先属性情報と広告とを関連付けて記憶し、前記ユーザ情報受付手段が、ユーザ情報としてユーザ属性情報をさらに受信し、前記ユーザ情報記憶部が、ユーザ情報受付手段にて受信したユーザ属性情報とカテゴリ情報とを関連付けて記憶し、前記カテゴリ抽出手段が、ユーザ情報記憶部を参照して、カテゴリ情報と共にユーザ属性情報をさらに抽出し、前記広告決定手段が、広告配信者情報記憶部を参照して、決定したカテゴリ情報に属する広告の中から上記ユーザ属性情報に適合する配信属性を有する一つの広告を決定するものとしても良い。
【００１０】
また、本発明の第二の広告配信管理装置は、広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載する広告配信管理装置であって、配信を依頼する広告と、少なくともこの広告が分類される区分を示すカテゴリ情報を含む広告配信依頼情報とを上記広告配信者端末から受信する広告配信依頼受付手段、広告配信依頼受付手段にて受信した広告と広告配信依頼情報とを関連付けて記憶する広告配信者情報記憶部、少なくともサイト管理者が掲載を許諾する広告が分類される区分を示すカテゴリ情報及び広告の掲載先を指定する掲載先情報を含む広告掲載許諾情報を上記サイト管理者端末から受信するサイト管理者情報受付手段、サイト管理者情報受付手段にて受信した広告掲載許諾情報を記憶するサイト管理者情報記憶部、通信サイトの閲覧要求を上記ユーザ端末から受信する通信サイト閲覧要求受付手段、通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段、抽出したカテゴリ情報の中から一つのカテゴリ情報を決定するカテゴリ決定手段、カテゴリ決定手段でのカテゴリ情報の決定後、広告配信者情報記憶部を参照して、決定したカテゴリ情報に属する広告の中から一つの広告を決定する広告決定手段、閲覧要求があった通信サイト情報と共に、決定した広告を上記ユーザ端末へ送信する広告配信手段、を少なくとも有することを特徴とする。
【００１１】
また、本発明の第二の広告配信管理装置は、その場合、前記広告配信依頼受付手段が、広告配信依頼情報として広告の配信先条件を指定する配信先属性情報をさらに受信し、前記広告配信者情報記憶部が、広告配信依頼受付手段にて受信した配信先属性情報と広告とを関連付けて記憶し、前記サイト管理者情報受付手段が、広告掲載許諾情報としてユーザ属性情報をさらに受信し、前記サイト管理者情報記憶部が、サイト管理者情報受付手段にて受信したユーザ属性情報とカテゴリ情報及び掲載先情報とを関連付けて記憶し、前記カテゴリ抽出手段が、サイト管理者情報記憶部を参照して、カテゴリ情報と共にユーザ属性情報をさらに抽出し、前記広告決定手段が、広告配信者情報記憶部を参照して、決定したカテゴリ情報に属する広告の中から上記ユーザ属性情報に適合する配信属性を有する一つの広告を決定するものとしても良い。
【００１２】
また、本発明の第一及び第二の広告配信管理装置は、さらに、前記広告配信者情報記憶部が、広告配信依頼受付手段にて受信したカテゴリ情報を階層的に記憶し、前記カテゴリ決定手段が、カテゴリ情報の階層数に応じてカテゴリ情報の決定を繰り返すものとしても良い。
【００１３】
また、本発明の第一及び第二の広告配信管理装置は、さらに、予め通信サイト情報と、通信サイト画面に掲載される広告の掲載枠数情報とを関連付けて記憶するサイト情報記憶部、前記通信サイト閲覧要求受付手段での通信サイトの閲覧要求の受信に応じ、サイト情報記憶部を参照して広告の掲載枠数を特定する広告掲載数特定手段を有し、前記広告決定手段が、広告掲載数特定手段にて特定された広告掲載枠数に応じて、前記カテゴリ決定手段にて決定したカテゴリ情報に属する広告情報の中から広告の決定を繰り返すものとしても良い。
【００１４】
また、本発明の第一及び第二の広告配信管理装置は、さらに、予め通信サイト情報と、通信サイト画面に掲載される広告の掲載枠数情報とを関連付けて記憶するサイト情報記憶部、前記通信サイト閲覧要求受付手段での通信サイトの閲覧要求の受信に応じてサイト情報を取得し、サイト情報記憶部を参照してサイト情報に基づき広告の掲載枠数を特定する広告掲載数特定手段をさらに有し、前記カテゴリ決定手段は、広告掲載数特定手段にて特定された広告掲載枠数に応じてカテゴリ情報の決定を繰り返し、前記広告決定手段は、前記カテゴリ決定手段でのカテゴリ情報の決定に応じて広告の決定を繰り返すものとしても良い。
【００１５】
また、本発明の第一及び第二の広告配信管理装置は、さらに、前記広告決定手段にて決定される露出率を高める露出率変動情報を前記広告配信者端末から受信する露出率変動情報受付手段、露出率変動情報受付手段にて受信した露出率変動情報を、広告の配信を依頼した上記広告配信者毎に関連付けて記憶する露出率変動情報記憶部をさらに有し、前記広告決定手段は、広告の決定前に露出率変動情報記憶部を参照して露出率変動情報を特定し、この露出率変動情報に基づいて広告を決定するものとしても良い。
【００１６】
また、本発明の第一の広告配信方法は、広告の配信を依頼する広告配信者が利用する広告配信者端末と、広告が掲載された通信サイトを閲覧するユーザが利用するユーザ端末と、に通信ネットワークを介してそれぞれ接続された広告配信管理装置を備え、ユーザがネットワークを通じて閲覧する通信サイト画面に特定の広告を掲載する広告配信方法であって、上記広告配信者端末が、配信を依頼する広告と共に、少なくともこの広告が分類される区分を示すカテゴリ情報を含む広告配信依頼情報の入力を広告配信依頼手段にて受け付けて広告配信管理装置へ送信するステップ、上記広告配信管理装置が、広告配信者端末から送信された広告と広告配信依頼情報とを広告配信依頼受付手段にて受信するステップ、上記広告配信管理装置が、広告配信依頼受付手段にて受信した広告と広告配信依頼情報とを関連付けて広告配信者情報記憶部に記憶するステップ、上記ユーザ端末が、少なくとも配信を承認する広告が分類される区分を示すカテゴリ情報を含むユーザ情報の入力を配信承認広告指定手段にて受け付けて広告配信管理装置へ送信するステップ、上記広告配信管理装置が、ユーザ端末から送信されたユーザ情報をユーザ情報受付手段にて受信するステップ、上記広告配信管理装置が、ユーザ情報受付手段にて受信したユーザ情報にユーザの識別情報を付与してユーザ情報記憶部に記憶するステップ、上記ユーザ端末が、ユーザを特定する識別情報の入力を伴う通信サイトの閲覧要求を通信サイト閲覧要求手段にて受け付けて広告配信管理装置へ送信するステップ、上記広告配信管理装置が、ユーザ端末から送信されたユーザの識別情報を含む通信サイトの閲覧要求を通信サイト閲覧要求受付手段にて受信するステップ、上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、上記広告配信管理装置が、カテゴリ抽出手段にて抽出したカテゴリ情報の中から一つのカテゴリ情報をカテゴリ決定手段にて決定するステップ、上記広告配信管理装置が、カテゴリ決定手段でのカテゴリ情報の決定後、広告決定手段にて広告配信者情報記憶部を参照し、決定したカテゴリ情報に属する広告の中から一つの広告を決定するステップ、上記広告配信管理装置が、閲覧要求があった通信サイト情報と共に、広告決定手段にて決定した広告を広告配信手段よりユーザ端末へ送信するステップ、上記ユーザ端末が、広告配信管理装置から送信された通信サイト情報と広告とを通信サイト表示手段にて受信し、さらに通信サイト表示手段がこの広告が掲載されたサイト画面を表示するステップ、を少なくとも有することを特徴とする。
【００１７】
また、本発明の第二の広告配信方法は、広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続された広告配信管理装置を備え、ユーザがネットワークを通じて閲覧する通信サイト画面に特定の広告を掲載する広告配信管理方法であって、上記広告配信者端末が、配信を依頼する広告と共に、少なくともこの広告が分類される区分を示すカテゴリ情報を含む広告配信依頼情報の入力を広告配信依頼手段にて受け付けて広告配信管理装置へ送信するステップ、上記広告配信管理装置が、広告配信者端末から送信された広告と広告配信依頼情報とを広告配信依頼受付手段にて受信するステップ、上記広告配信管理装置が、広告配信依頼受付手段にて受信した広告と広告配信依頼情報とを関連付けて広告配信者情報記憶部に記憶するステップ、上記サイト管理者端末が、少なくともサイト管理者が掲載を許諾する広告が分類される区分を示すカテゴリ情報及び広告の掲載先を指定する掲載先情報を含む広告掲載許諾情報の入力を広告掲載許諾サイト指定手段にて受け付けて広告配信管理装置へ送信するステップ、上記広告配信管理装置が、サイト管理者端末から送信された広告掲載許諾情報をサイト管理者情報受付手段にて受信するステップ、上記広告配信管理装置が、サイト管理者情報受付手段にて受信した広告掲載許諾情報をサイト管理者情報記憶部に記憶するステップ、上記ユーザ端末が、通信サイトの閲覧要求を通信サイト閲覧要求手段にて受け付けて広告配信管理装置へ送信するステップ、上記広告配信管理装置が、ユーザ端末から送信された通信サイトの閲覧要求を通信サイト閲覧要求受付手段にて受信するステップ、上記広告配信管理装置が、通信サイト閲覧要求受付手段にて受信した閲覧要求があった通信サイトをカテゴリ抽出手段にて広告の掲載先とし、さらにカテゴリ抽出手段が、サイト管理者情報記憶部を参照して、掲載先情報に基づきカテゴリ情報を抽出するステップ、上記広告配信管理装置が、カテゴリ抽出手段にて抽出したカテゴリ情報の中から一つのカテゴリ情報をカテゴリ決定手段にて決定するステップ、上記広告配信管理装置が、カテゴリ決定手段でのカテゴリ情報の決定後、広告決定手段にて広告配信者情報記憶部を参照し、決定したカテゴリ情報に属する広告の中から一つの広告を決定するステップ、上記広告配信管理装置が、閲覧要求があった通信サイト情報と共に、広告決定手段にて決定した広告を広告配信手段よりユーザ端末へ送信するステップ、上記ユーザ端末が、広告配信管理装置から送信された通信サイト情報と広告とを通信サイト表示手段にて受信し、さらに通信サイト表示手段がこの広告が掲載されたサイト画面を表示するステップ、を少なくとも有することを特徴とする。
【００１８】
また、本発明の第一の広告配信プログラムは、広告の配信を依頼する広告配信者が利用する広告配信者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載することを実行させるためにコンピュータを、配信を依頼する広告と、少なくともこの広告が分類される区分を示すカテゴリ情報を含む広告配信依頼情報を広告配信者端末から受信する手段、受信した広告と広告配信依頼情報とを関連付けて広告配信者情報記憶部に記憶する手段、少なくとも配信を承認する広告が分類される区分を示すカテゴリ情報を含むユーザ情報をユーザ端末から受信する手段、受信したユーザ情報にユーザの識別情報を付与してユーザ情報記憶部に記憶する手段、ユーザを特定する識別情報を含む通信サイトの閲覧要求をユーザ端末から受信する手段、受信した閲覧要求からユーザの識別情報を取得し、さらにユーザ情報記憶部を参照して、この識別情報に基づきカテゴリ情報を抽出する手段、抽出したカテゴリ情報の中から一つのカテゴリ情報を決定する手段、カテゴリ情報の決定後、広告配信者情報記憶部を参照し、決定したカテゴリ情報に属する広告の中から一つの広告を決定する手段、閲覧要求があった通信サイト情報と共に、決定した広告をユーザ端末へ送信する手段、として機能させることを特徴とする。
【００１９】
また、本発明の第二の広告配信プログラムは、広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載することを実行させるためにコンピュータを、配信を依頼する広告と、少なくともこの広告が分類される区分を示すカテゴリ情報を含む広告配信依頼情報を広告配信者端末から受信する手段、受信した広告と広告配信依頼情報とを関連付けて広告配信者情報記憶部に記憶する手段、少なくともサイト管理者が掲載を許諾する広告が分類される区分を示すカテゴリ情報及び広告の掲載先を指定する掲載先情報を含む広告掲載許諾情報をサイト管理者端末から受信する手段、受信した広告掲載許諾情報をサイト管理者情報記憶部に記憶する手段、通信サイトの閲覧要求をユーザ端末から受信する手段、受信した閲覧要求があった通信サイトを広告の掲載先とし、さらにサイト管理者情報記憶部を参照して、掲載先情報に基づきカテゴリ情報を抽出する手段、抽出したカテゴリ情報の中から一つのカテゴリ情報を決定する手段、カテゴリ情報の決定後、広告配信者情報記憶部を参照し、決定したカテゴリ情報に属する広告の中から一つの広告を決定する手段、閲覧要求があった通信サイト情報と共に、決定した広告をユーザ端末へ送信する手段、として機能させることを特徴とする。
【発明の効果】
【００２０】
本発明によれば、ユーザが配信を承認するカテゴリ内に含まれる広告掲載依頼件数に関係なく、ユーザが配信を承認する広告が属するカテゴリを均等に選択し、さらに選択したカテゴリ内に含まれる広告も均等に選択して、ユーザが閲覧する通信サイト画面に当該広告が配信されるので、宣伝機会が失われたり、広告に対する印象・興味が薄れ、嫌悪感を抱いてしまうことなく、販売活動の促進を効率良く達成することができる。
【００２１】
また、サイト管理者が掲載を許諾するカテゴリ内に含まれる広告掲載依頼件数に関係なく、サイト管理者が掲載を許諾する広告が属するカテゴリを均等に選択し、さらに選択したカテゴリ内に含まれる広告も均等に選択して、ユーザが閲覧する通信サイト画面に当該広告が配信されるので、ユーザが希望するカテゴリに属する広告を配信することができ、広告による販売活動の促進を効率良く達成することができる。
【発明を実施するための最良の形態】
【００２２】
以下、図面を参照しながら、本発明にかかる広告配信システムと装置、方法並びに広告配信プログラムの実施の形態について説明する。
なお、以下に説明する実施の形態は、ユーザがインターネットなどの通信ネットワークを利用して、ネット広告が掲載（表示又は露出）されたグループウェアのＷｅｂサイトを閲覧する場合を例に説明する。つまり、通信サイトはＷｅｂサイトであり、この通信サイト画面に掲載される特定の広告はユーザが配信を承認するカテゴリに属するネット広告（以下、単に「広告」という）である。したがって、広告は、たとえばテキストデータでＷｅｂページ上に掲載いてもよいし、広告情報を予めデータベースに登録しておき、指定された広告情報を取得して表示するようにしてもよいし、またいわゆる「バナー広告」の形式でホームページ等のＷｅｂサイト画面上に掲載し（貼り付け）ている。
【００２３】
（第一の実施形態）
図１は、本発明に係る広告配信システム（以下、「本システム」という）の第一の実施形態例を示す概略図であり、図２は、そのブロック構成図である。
本システムは、広告配信者端末２０とユーザ端末３０Ａのそれぞれと通信ネットワークＮＷを通じて通信可能に接続された広告配信管理装置（以下、「本サーバ」という）１０Ａとから構成される。
【００２４】
通信ネットワークＮＷの例としては、インターネット及びＬＡＮ（Local Area
Network）などのコンピュータ通信網がある。本サーバ１０Ａ、広告配信者端末２０、ユーザ端末３０Ａは、専用線、公衆交換電話網（ＰＳＴＮ）、無線電話網、ＣＡＴＶ網、衛星通信網等の通信回線を介して通信ネットワークＮＷと接続可能となっている。
【００２５】
広告配信者端末２０は、広告の配信を依頼する広告配信者が利用する端末である。広告配信者端末２０は、本サーバ１０Ａと情報の送受信が可能な情報処理装置であればよく、たとえば、パーソナルコンピュータをはじめ、データ通信機能を有するＰＤＡ（Personal Digital Assistant）や携帯電話機などで実現される。
この広告配信者端末２０は、図２に示すように少なくとも広告配信依頼部２１を備える。
【００２６】
広告配信依頼部２１は、配信を依頼する広告と共に、少なくともこの広告が分類される区分を示すカテゴリ情報（以下、単に「カテゴリ」という）を含む広告配信依頼情報の入力を受け付けて、本サーバ１０Ａへ送信する処理を行う手段である。この広告配信依頼情報には、広告主である広告配信者がどのようなユーザに配信したいか、広告の配信先条件を指定する配信先の属性を含めても良い。また、配信先の属性としては、ユーザの性別、生年月日、居住地域（住所）、勤務地、職業、年収、配偶者有無、家族構成などといった項目が挙げられる。
この広告配信依頼情報には、広告主である広告配信者がどのような通信サイト（コンテンツ）に掲載して欲しいかといったＷｅｂサイトの選択に関する要求条件を含めても良い。
【００２７】
ユーザ端末３０Ａは、広告が掲載されたＷｅｂサイトを閲覧するグループウェアの加入者であるユーザが利用する端末である。ユーザ端末３０Ａもまた、本サーバ１０Ａと情報の送受信が可能な情報処理装置であればよく、たとえば、パーソナルコンピュータをはじめ、データ通信機能を有するＰＤＡ（Personal Digital Assistant）や携帯電話機などで実現される。
このユーザ端末３０Ａは、図２に示すように、配信承認広告指定部３１と、通信サイト閲覧要求部３２と、通信サイト表示３３とを備える。
【００２８】
配信承認広告指定部３１は、少なくとも配信を承認する広告が分類される区分を示すカテゴリ（すなわち、ユーザ自身がどのようなカテゴリに属する広告情報を見たいか）を含むユーザ情報の入力を受け付けて本サーバ１０Ａへ送信する処理を行う手段である。
このカテゴリは、ユーザ選択した自分が興味を持っている分野であって、広告を分類するカテゴリと対応している。このカテゴリとしては、例えば、スポーツであればプロ野球、サッカー、趣味であれば囲碁、将棋などのカテゴリである。
また、ユーザ情報には、ユーザ自身特徴を表すの属性を含めても良い。この属性としては、ユーザ自身の性別、生年月日、居住地域（住所）、勤務地、職業、年収、配偶者有無、家族構成などといった項目が挙げられる。
このユーザ情報を入力し、本サーバ１０Ａへ送信することにより、ユーザに対して固有の識別情報（以下、「ユーザＩＤ」という）が付与される。そして、ユーザがＷｅｂサイトの閲覧要求を行なう場合は、以後、ユーザＩＤの入力を要し、このユーザＩＤによってユーザが特定されるものとなる。
【００２９】
通信サイト閲覧要求部３２は、ユーザＩＤの入力を伴うＷｅｂサイトの閲覧要求を受け付け、本サーバ１０Ａへ送信する処理を行う手段である。
通信サイト表示部３３は、ユーザ情報に基づいて決定された広告と、閲覧要求したＷｅｂサイト情報とを本サーバ１０Ａより受信し、この広告を掲載したＷｅｂサイト画面を表示する処理を行う手段である。
【００３０】
次に、本サーバ１０Ａの構成について説明する。
本サーバ１０Ａは、一例として、図２に示すように、広告配信者情報ＤＢ１と、ユーザ情報ＤＢ２Ａと、広告配信依頼受付部１１と、ユーザ情報受付部１２Ａと、通信サイト閲覧要求受付部１３と、カテゴリ抽出部１４と、カテゴリ決定部１５と、広告決定部１６と、広告配信部１７とを少なくとも備える。
【００３１】
また、本サーバ１０Ａは、図示しないが、ＣＰＵ（中央処理装置）とプログラム記憶部とを有する。ＣＰＵは、プログラム記憶部に記憶されたプログラムに従い、本サーバ１０Ａの各構成要素を制御し、プログラム処理を実行する。プログラム記憶部は、ＲＯＭ（Read Only Memory）やＲＡＭ（Random Access Memory）等のメモリ、及びハードディスクドライブなどの外部記憶装置で構成され、本サーバ１０Ａが使用する各種プログラムを記憶している。
【００３２】
なお、本サーバ１０Ａでは、本発明にかかる広告配信プログラム（以下、「本プログラム」という）が動作して本サーバ１０Ａ内の各手段を制御することで、以下に説明する広告配信方法（以下、「本方法」という）を実現する。
また、本プログラムを記録したコンピュータ読取可能な記録媒体（以下、「本記録媒体」という）を用いれば、図示しないコンピュータを本サーバ１０Ａと同様に機能させることができる。すなわち、図示しないコンピュータが、本記録媒体から本プログラムを読取、実行することで、本方法を実現することができる。
【００３３】
広告配信者情報ＤＢ１は、広告配信依頼受付部１１にて受信した広告と、広告配信依頼情報とを関連付けてデータベース化したものである。
この広告配信者情報ＤＢ１には、広告情報を分類するカテゴリと、各カテゴリごとの広告情報が関連付けて記憶されている。このカテゴリは、ユーザが選択したカテゴリと対応するものであって、例えば、スポーツであれば、プロ野球、サッカーなどがあり、趣味であれば囲碁や将棋などのカテゴリがある。
この広告配信者情報ＤＢ１は、広告配信依頼受付部１１にて受信したカテゴリを階層的に記憶することもできる。
【００３４】
図３は、広告配信者情報ＤＢ１に記憶されている情報の例を示す模式図である。たとえば、広告ＩＤ、広告情報、カテゴリ区分１、カテゴリ区分２、及び性別、年齢１、年齢２、配信地域などといった配信先条件を指定する配信先属性が、関連付けて記憶されている。
カテゴリ区分１及びカテゴリ区分２は、広告が分類される（属する）カテゴリの区分を示し、カテゴリが階層的に区分される場合は、カテゴリ区分１が上位区分、カテゴリ区分２下位区分を示す。したがって、図３は、カテゴリの階層数が「２」であることを示している。なお、カテゴリが階層的に区分されない場合は、カテゴリ区分１だけとなる。さらに、カテゴリは、階層数が１又は２に限らず、３以上であっても良い。
【００３５】
このカテゴリの区分は、カテゴリ区分１の場合、たとえば図４（ａ）に示すカテゴリ区分１マスタファイルに基づいて区分される。図４（ａ）に示すように、上位カテゴリＡＡＡは区分「Ａ」、上位カテゴリＢＢＢは区分「Ｂ」、上位カテゴリＣＣＣは区分「Ｃ」、上位カテゴリＤＤＤは区分「Ｄ」、上位カテゴリＥＥＥは区分「Ｅ」で示すものとしている。
また、カテゴリ区分２の場合、たとえば図４（ｂ）に示すカテゴリ区分２マスタファイルに基づいて区分される。図４（ｂ）に示すように、カテゴリ区分１が「Ａ」の場合、下位カテゴリを問わない不問では区分「１００」、下位カテゴリ「ａａａ」は区分「１０１」、下位カテゴリ「ａａｂ」は区分「１０２」、下位カテゴリ「ａａｃ」は区分「１０３」、でそれぞれ示し、カテゴリ区分１が「Ｂ」の場合、下位カテゴリを問わない不問では区分「２００」、下位カテゴリ「ｂｂａ」は区分「２０１」、下位カテゴリ「ｂｂｂ」は区分「２０２」、下位カテゴリ「ｂｂｃ」は区分「２０３」、でそれぞれ示すものとしている。
【００３６】
また、広告を配信するユーザの属性の設定として、性別は、たとえば男性の場合「１」、女性の場合「２」、男性・女性何れでもよい不問の場合「０」で示すものとしている。
また、年齢１は下限年齢、年齢２は上限年齢、をそれぞれ示し、年齢を問わない不問の場合はいずれの場合も「００」で示すものとしている。
また、配信地域は、たとえば図５に示す配信地域区分マスタファイルに基づいて区分される。図５に示すように、配信地域を問わない不問の場合は区分「０００」、配信地域が「ＡＡ」全域あれば区分「１００」、配信地域が「ＡＡ」地域の「ａａ」あれば区分「１１０」、配信地域が「ＡＡ」地域の「ａｂ」あれば区分「１２０」、でそれぞれ示すものとしている。また、配信地域が「ＢＢ」全域あれば区分「２００」、配信地域が「ＢＢ」地域の「ｂａ」あれば区分「２１０」、配信地域が「ＢＢ」地域の「ｂｂ」あれば区分「２２０」、でそれぞれ示すものとしている。さらに、配信地域が「ＣＣ」全域あれば区分「３００」、配信地域が「ＣＣ」地域の「ｃａ」あれば区分「３１０」、配信地域が「ＣＣ」地域の「ｃｂ」あれば区分「３２０」、でそれぞれ示すものとしている。
【００３７】
したがって、図３では、広告ＩＤ「ＣＭ００１」の広告情報「ＣＭ００１.ｈｔｍｌ」は、上位カテゴリ「ＡＡＡ」に属し、下位カテゴリを問わない。また、この広告情報「ＣＭ００１.ｈｔｍｌ」の配信先条件は、配信地域が「ＣＣ」地域の「ｃａ」に該当する、１６歳から３０歳までの男性・女性何れでも良いことを配信依頼情報として示している。一方、広告ＩＤ「ＣＭ００２」の広告情報「ＣＭ００２.ｈｔｍｌ」は、上位カテゴリ「ＢＢＢ」、下位カテゴリ「ｂｂａ」に属する。また、この広告情報「ＣＭ００２.ｈｔｍｌ」の配信先条件は、配信地域が「ＢＢ」地域全域に該当する、年齢は問わず男性のみであることを配信依頼情報として示している。
【００３８】
本サーバ１０Ａは、カテゴリ区分をインデックスとして（カテゴリ区分をもとに）広告配信者情報ＤＢ１を検索することで、このカテゴリ区分に関連付けて記憶されている広告を読み出すことができる。また、本サーバ１０Ａは、カテゴリ区分及び配信先条件をインデックスとして広告配信者情報ＤＢ１を検索することで、このカテゴリ区分に関連付けて記憶されている広告を読み出すこともできる。
【００３９】
ユーザ情報ＤＢ２Ａは、ユーザ情報受付部１２Ａにて受信したユーザ情報にユーザＩＤを付与して記憶する記憶手段である。
また、ユーザ情報ＤＢ２Ａは、ユーザ情報受付部１２Ａがユーザ属性情報を受信した場合、このユーザ属性情報とユーザ情報に含まれるカテゴリとを関連付けて記憶する。
【００４０】
図６は、ユーザ情報ＤＢ２に記憶されている情報の例を示す模式図であり、たとえば、ユーザＩＤ、カテゴリ区分１、カテゴリ区分２、及び性別、年齢１、年齢２、配信地域、などといったユーザ属性が関連付けられて記憶されている。
カテゴリ区分１及びカテゴリ区分２は、ユーザが配信を承認する広告が分類される区分を示し、広告配信者情報ＤＢ１と同様に区分して示すものとしている。性別は、ユーザ自身の性別であり、男性の場合「１」、女性の場合「２」で示すものとしている。また、居住地域は、ユーザ自身の居住地域（又は職場地域）であり、たとえば図５に示す配信地域区分データベースに基づいて区分して示すものとしている。
【００４１】
したがって、図６では、ユーザＩＤ「ＣＵ００１」のユーザは、２５歳の男性であり、居住地域（又は職場地域）が「ＣＣ」地域の「ｃａ」に該当する。このユーザＩＤ「ＣＵ００１」のユーザが配信を承認する広告の区分は、上位カテゴリが「ＡＡＡ」及び下位カテゴリが「ａａａ」に属していることを示している。また、ユーザＩＤ「ＣＵ００２」のユーザは、１８歳の男性であり、居住地域（又は職場地域）が「ＢＢ」地域の「ｂａ」に該当する。このユーザＩＤ「ＣＵ００２」のユーザが配信を承認する広告の区分は、上位カテゴリが「ＢＢＢ」及び下位カテゴリが「ｂｂｂ」に属していることを示している。
【００４２】
本サーバ１０Ａは、ユーザＩＤをインデックスとして（ユーザＩＤをもとに）ユーザ情報ＤＢ２Ａを検索することで、このユーザＩＤに関連付けて記憶されているカテゴリ区分を読み出すことができる。
【００４３】
以上説明した各データベースは、本サーバ１０に搭載、又は接続されたハードディスクなどの記憶装置上に実現されている。
【００４４】
広告配信依頼受付部１１は、広告配信依頼要求を広告配信者端末２０から受信し、広告配信依頼設定画面情報を送信すると共に、広告配信依頼設定画面情報に従って入力された、広告と広告配信依頼情報とを広告配信者端末２０から受信する処理を行う手段である。広告配信依頼受付部１１にて受信した広告と広告配信依頼情報は、広告配信者情報ＤＢ１に記憶される。
また、広告配信依頼受付部１１は、広告配信依頼情報として広告の配信先条件を指定する配信先属性情報をさらに受信する処理も行う。
【００４５】
ユーザ情報受付部１２Ａは、ユーザ登録要求をユーザ端末３０Ａから受信し、ユーザ登録設定画面情報を送信すると共に、このユーザ登録設定画面情報に従って入力されたユーザ情報をユーザ端末３０Ａから受信する処理を行う手段である。ユーザ情報受付部１２Ａにて受信したユーザ情報は、ユーザ情報ＤＢ２Ａに記憶される。
また、ユーザ情報受付部１２Ａは、ユーザ情報としてユーザ属性情報をさらに受信する処理も行う。
【００４６】
通信サイト閲覧要求受付部１３は、ユーザの識別情報を含む通信サイトの閲覧要求をユーザ端末３０Ａから受信する処理を行う手段である。
【００４７】
カテゴリ抽出部１４は、通信サイト閲覧要求受付部１３にて受信した閲覧要求からユーザＩＤを取得し、ユーザ情報ＤＢ２Ａを参照して、このユーザＩＤに基づきカテゴリを抽出する処理を行う手段である。
また、カテゴリ抽出部１４は、通信サイト閲覧要求受付部１３が閲覧要求を受信した場合、ユーザ情報ＤＢ２Ａを参照して、閲覧要求から取得したユーザＩＤに基づき、カテゴリと共にユーザ属性を抽出する処理を行う。
【００４８】
カテゴリ決定部１５は、カテゴリ抽出部１４にて抽出したカテゴリが複数の場合、そのカテゴリの中から一つのカテゴリを決定する処理を行う手段である。
また、カテゴリ決定部１５は、広告配信者情報ＤＢ１においてカテゴリが階層的に記憶されている場合、カテゴリの階層数に応じてカテゴリの決定を繰り返す処理も行う。
そして、カテゴリ決定部１５にて決定された一つのカテゴリは、広告決定部１６へ送られる。
【００４９】
広告決定部１６は、カテゴリ決定部１５でのカテゴリの決定後、広告配信者情報ＤＢ１を参照して、当該決定されたカテゴリと一致するカテゴリに属する広告情報を抽出する処理を行う。また、広告情報が複数ある場合には、広告決定部１６は、その中から一つの広告を決定する処理を行う。
また、広告決定部１６は、カテゴリ抽出部１４よりユーザ属性を受け付けた場合、カテゴリ決定部１５でのカテゴリの決定後、広告配信者情報ＤＢ１を参照して、決定したカテゴリに属する広告の中から上記ユーザ属性に適合する配信属性を有する一つの広告を決定する処理も行う。
【００５０】
広告配信部１７は、閲覧要求があったＷｅｂサイト情報と共に、広告決定部１６にて決定した広告をユーザ端末３０Ａへ送信する処理を行う。
これにより、ユーザ（ユーザ端末３０Ａ）に対して広告が掲載されたＷｅｂサイト情報（コンテンツ）を提供することが出来る。
【００５１】
なお、本サーバ１０Ａからユーザ端末３０Ａに送信されるＷｅｂサイト情報は、たとえばＷＷＷブラウザを起動することでユーザ端末３０Ａ側にてホームページとして閲覧することのできるＷｅｂページであり、本サーバ１０Ａとユーザ端末３０Ａとの間は、ＨＴＴＰプロトコルを用いて情報交換が行われる。つまり、本サーバ１０Ａは、Ｗｅｂサイトの閲覧要求をユーザ端末３０Ａから受信すると、このユーザ端末３０Ａを特定することができ、特定したユーザ端末３０Ａに対して読み出した広告とＷｅｂサイト情報を送信することができる。ユーザ端末３０Ａを特定した情報は、ユーザ情報ＤＢ２Ａへ一時的に記憶される。ただし、本サーバ１０Ａとユーザ端末３０Ａとの情報交換は、これに限定されない。
【００５２】
また、本サーバ１０Ａは、サイト情報ＤＢ３と、広告掲載数特定部１８とをさらに備えていても良い。
サイト情報ＤＢ３は、予めＷｅｂサイト情報と、Ｗｅｂサイト画面に掲載される広告の掲載枠数情報とを関連付けて記憶する手段である。
Ｗｅｂサイト情報とは、たとえばユーザより閲覧要求のあったＷｅｂサイトへリンクするためのＵＲＬをいう。
また、掲載枠数情報とは、ユーザより閲覧要求のあったＷｅｂサイトへ掲載（表示又は露出）可能な広告数をいう。
【００５３】
図７は、サイト情報ＤＢ３に記憶されている情報の例を示す模式図であり、たとえば、サイトＩＤ、Ｗｅｂサイト情報としてのＵＲＬ、及び広告掲載枠数が関連付けて記憶している。
したがって、図７では、サイトＩＤ「ＨＰ００１」のＷｅｂサイトは、ＵＲＬが「ｈｔｔｐ://
ｗｗｗ.ａｂｃ.ｃｏ.ｊｐ/」であり、広告掲載枠数が「３」である。また、サイトＩＤ「ＨＰ００２」のＷｅｂサイトは、ＵＲＬが「ｈｔｔｐ:// ｗｗｗ.ａａａ.ｃｏｍ/」であり、広告掲載枠数が「１」である、ことをそれぞれ示している。
【００５４】
広告掲載数特定部１８は、通信サイト閲覧要求受付部１３でのＷｅｂサイトの閲覧要求の受信に応じ、サイト情報ＤＢ３を参照して広告の掲載枠数を特定する処理を行う手段である。
この場合、広告決定部１６は、広告掲載数特定部１８にて特定された広告の掲載枠数に応じて、前記カテゴリ決定部１５にて決定したカテゴリに属する広告の中から一つの広告の決定を繰り返す処理を行う。
また、この場合、カテゴリ決定部１５は、広告掲載数特定部１８にて特定された広告掲載枠数に応じてカテゴリ情報の決定を繰り返す処理を行い、広告決定部１６は、カテゴリ決定部１５でのカテゴリ情報の決定に応じて広告の決定を繰り返す処理を行う。
【００５５】
また、本サーバ１０Ａは、露出率変動情報ＤＢ４と、露出率変動情報受付部１９をさらに備えた例について説明する。
【００５６】
露出率変動情報ＤＢ４は、露出率変動情報受付部１９にて受信した露出率変動情報を、広告の配信を依頼した広告配信者毎に関連付けて記憶する手段である。
図８は、露出率変動情報記憶部に記憶されている情報の例を示す模式図であり、たとえば、広告配信者ＩＤ、広告ＩＤ、及び露出率変動情報が関連付けて記憶されている。
したがって、図８では、広告配信者ＩＤ「ＣＬ００１」の広告配信者が配信を依頼する広告ＩＤ「ＣＭ００１」の広告は、露出率変動情報が「２」であり、広告配信者ＩＤ「ＣＬ００２」の広告配信者が配信を依頼する広告ＩＤ「ＣＭ００２」の広告は、露出率変動情報が「１」であることを示している。
【００５７】
露出率変動情報受付部１９は、広告決定部１６にて決定される露出率を高める露出率変動情報を広告配信者端末２０から受信する処理を行う。
この場合、広告決定部１６は、広告の決定前に露出率変動情報ＤＢ４を参照して露出率変動情報を特定し、この露出率変動情報に基づいて広告を決定する処理を行う。
露出率変動情報は、広告決定部１６にて決定される露出率を示している。、たとえば対象となるカテゴリ内に広告が１０あり、何れの広告も露出率変動情報が「１」であると、広告決定部１６にて決定される確率は均等に何れも１／１０である。ところが、一つの広告の露出率変動情報が「２」であると、カテゴリ内の露出率変動情報の総和が１１となり、広告決定部１６にて決定される確率は、露出率変動情報「１」の広告は１／１１となるが、露出率変動情報が「２」の広告は、２／１１となり、、広告決定部１６にて決定される確立が、露出率変動情報が「１」である他の広告と比べて露出率が高くなる。
なお、この露出率変動情報は、広告配信者が購入したポイント数に応じて決定される。例えば、１ポイント購入することで、露出変動率が「１」加算されることとなる。
【００５８】
次に、図９を参照しながら、本方法について説明する。
図９は、第一の実施形態の例を示すシーケンス図である。
第一の実施形態では、ユーザが承諾するカテゴリに属する広告をＷｅｂサイトに掲載するようにしたものである。
まず、本サーバ１０内の記憶部に、カテゴリ区分情報、配信地域区分情報といった所定の情報をあらかじめ記憶しておく。
次いで、広告配信者が、広告配信者端末２０より本サーバ１０Ａに対して、広告配信依頼を要求する（（１）参照）。
本サーバ１０Ａは、広告配信者端末２０からの広告配信依頼要求を受信し、これに応じて広告配信依頼設定画面を広告配信者端末２０へ送信する（（２）参照）。
【００５９】
次に、広告配信者端末２０は、本サーバ１０Ａから送信された広告配信依頼設定画面を受信し、これを出力する。
この広告配信依頼設定画面は、たとえば図１０に示すような形で表すことができる。図１０は、本発明の実施形態に係る広告配信依頼設定画面の一例を示す図である。この広告配信依頼設定画面Ｐ１には、広告配信者ＩＤ入力欄、配信を依頼する広告が分類されるカテゴリ区分を指定するカテゴリ１選択欄、カテゴリ１に下位カテゴリを指定するカテゴリ２選択欄、配信を依頼する広告を添付する広告添付欄、メッセージ入力欄といった所定の項目を入力する各欄が設けられている。この所定の項目には、広告配信先の性別や年齢、地域といった条件を指定する配信先の属性を入力するようにしても良い。これにより、対象を絞り込んだ均等な広告の配信による効果的な宣伝を行なうこともできる。
【００６０】
そして、広告配信者は、広告配信者端末２０にて広告配信依頼設定画面に広告配信依頼情報となる所定事項を入力し、依頼するボタンを選択することにより、広告配信依頼情報と共に、配信を依頼する広告を本サーバ１０Ａへ返信する（（３）参照）。なお、広告配信依頼を取りやめる場合は、キャンセルボタンを選択する。
【００６１】
本サーバ１０Ａは、広告配信者端末２０からの広告及び広告配信依頼情報を受信する（（４）参照）。
次いで、本サーバ１０Ａは、受信した広告及び広告配信依頼情報を関連付けて、広告配信者情報ＤＢ１に記憶する（（５）参照）。この際、受信した広告配信依頼情報に含まれるカテゴリを階層的に分類し、記憶するようにしても良い。これにより、曖昧な区分による広告の選択や、区分を絞り込んだ広告の選択といった、様々なユーザの要求に対応してカテゴリを選択することが可能となる。
【００６２】
一方、ユーザが、ユーザ端末３０Ａより本サーバ１０Ａに対して、ユーザ登録を要求する（（６）参照）。
本サーバ１０Ａは、ユーザ端末３０Ａからのユーザ登録要求を受信し、これに応じてユーザ登録設定画面情報をユーザ端末３０Ａへ送信する（（７）参照）。
次に、ユーザ端末３０Ａは、本サーバ１０Ａから送信されたユーザ登録設定画面を受信し、これを出力する。
このユーザ登録設定画面は、たとえば図１１に示すような形で表すことができる。図１１は、本発明の実施形態に係るユーザ登録設設定画面の一例を示す図である。このユーザ登録設定画面Ｐ２には、お名前入力欄、ご住所入力欄、年齢入力欄、性別入力欄、配信を承認する広告が分類されるカテゴリ区分を指定するカテゴリ１選択欄、カテゴリ１に下位カテゴリを指定するカテゴリ２選択欄といった所定の項目を入力する各欄が設けられている。
【００６３】
そして、ユーザは、ユーザ端末３０Ａにてユーザ登録設定画面にユーザ情報となる所定事項を入力し、登録するボタンを選択することにより、配信を承認する広告が分類されるカテゴリを含むユーザ情報を本サーバ１０Ａへ返信する（（８）参照）。なお、ユーザ登録を取りやめる場合は、キャンセルボタンを選択する。
【００６４】
本サーバ１０Ａは、ユーザ端末３０Ａからのユーザ情報を受信する（（９）参照）。
次いで、本サーバ１０Ａは、受信したユーザ情報にユーザＩＤを付与してユーザ情報ＤＢ２Ａに記憶する（（１０）参照）。
そして、本サーバ１０Ａは、ユーザに対して付与したユーザＩＤを、たとえば今後Ｗｅｂサイトの閲覧はこのユーザＩＤに基づき行なう旨の案内と共に、ユーザ端末３０Ａへ送信することにより通知する（（１１）参照）。
ユーザ端末３０Ａは、本サーバ１０Ａから送信されたユーザＩＤを受信する（（１２）参照）。
【００６５】
次に、ユーザは、ユーザ端末３０Ａより本サーバ１０Ａに対して、ユーザＩＤの入力を伴ってＷｅｂサイトの閲覧を要求する（（１３）参照）。
本サーバ１０Ａは、ユーザ端末３０ＡからのＷｅｂサイトの閲覧要求を受信し、ユーザＩＤの入力有無を確認する（（１４）参照）。
本サーバ１０Ａは、ユーザＩＤが入力されていることを確認すると、ユーザ情報ＤＢ２を参照し、このユーザＩＤに基づき、ユーザが配信を承認する広告が分類されるカテゴリを全て抽出する（（１５）参照）。
【００６６】
引き続き本サーバ１０Ａは、抽出したカテゴリの中から一つのカテゴリを決定する（（１６）参照）。
さらに、本サーバ１０Ａは、カテゴリの決定後、広告配信者情報ＤＢ１を参照し、決定したカテゴリに属する広告の中から一つの広告を決定する（（１７）参照）。
この際、Ｗｅｂサイトの閲覧要求時に、当該Ｗｅｂサイトに掲載可能な広告の掲載枠数を特定し、この広告掲載枠数に応じて、一つのカテゴリを決定し、当該カテゴリに属する広告を決定する。これにより、個々のＷｅｂページのデザインに合わせて広告の配信数を変更し、効果的な宣伝を行なうことができる。
【００６７】
また、広告の決定の際、決定される広告の露出率を高める露出率変動情報を設定し、この露出率変動情報に基づいて広告を決定する。
これにより、ユーザが閲覧するＷｅｂサイト画面に、同じカテゴリの広告が偏って掲載されてしまうおそれが無くなり、広告が見られる確率を均等に高めることができる。
【００６８】
その後、本サーバ１０Ａは、閲覧要求があったＷｅｂサイト情報と共に、決定した広告をユーザ端末３０Ａへ送信する（（１８）参照）。
ユーザ端末３０Ａは、本サーバ１０Ａから送信のあったＷｅｂサイト情報と広告とを受信する（（１９）参照）。
そして、ユーザ端末３０Ａは、受信したＷｅｂサイト情報と広告とを、この広告が掲載されたＷｅｂサイト画面として出力し、表示する（（２０）参照）。
これにより、ユーザは、ユーザ自ら配信を承認したカテゴリに属する特定の広告が掲載されたＷｅｂサイト画面を閲覧することができる。
【００６９】
次に、以上のような構成による本サーバ１０Ａの詳細な動作の一例を、図１３及び図１４を参照しながら説明する。図１３は、上記第一の実施形態を実施する本サーバ１０Ａでの処理の流れを示すフローチャートであり、図１４は、その続きを示すフローチャートである。
図１３及び図１４に示されるように、まず、広告配信依頼受付部１１が、広告配信依頼要求を広告配信者端末２０から受信したか否か判断する（Ｓ１１）。
広告配信依頼受付部１１が広告配信依頼要求を受信した場合（Ｙ）は、広告配信依頼受付部１１は、この広告配信依頼要求の受信に応じて、広告配信依頼設定画面を広告配信者端末２０へ送信（返信）する（Ｓ１２）。
一方、広告配信依頼受付部１１が広告配信依頼要求を受信していない場合（Ｎ）、又は広告配信依頼受付部１１が広告配信依頼設定画面を送信した後、広告配信依頼受付部１１は、配信を依頼する広告と、少なくともこの広告が分類される区分を示すカテゴリを含む広告配信依頼情報を広告配信者端末２０から受信したか否か判断する（Ｓ１３）。
【００７０】
その結果、広告配信依頼受付部１１が広告と広告配信依頼情報とを受信した場合（Ｙ）は、広告配信依頼受付部１１は、受信した広告と広告配信依頼情報を広告配信者情報ＤＢ１へ送る。
広告配信者情報ＤＢ１は、広告配信依頼受付部１１より送られた広告と広告配信依頼情報とを関連付けて記憶する（Ｓ１４）。
一方、広告配信依頼受付部１１が広告と広告配信依頼情報とを受信していない場合（Ｎ）は、次に、ユーザ情報受付部１２Ａが、ユーザ登録要求をユーザ端末３０Ａから受信したか否か判断する（Ｓ１５）。
【００７１】
その結果、ユーザ情報受付部１２Ａが、ユーザ登録要求を受信した場合（Ｙ）は、引き続きユーザ情報受付部１２Ａは、このユーザ登録要求の受信に応じて、ユーザ登録設定画面情報をユーザ端末３０Ａへ送信（返信）する（Ｓ１６）。
一方、ユーザ情報受付部１２Ａがユーザ登録要求を受信していない場合（Ｎ）、又はユーザ情報受付部１２Ａがユーザ登録設定画面情報を送信した後、ユーザ情報受付部１２Ａは、少なくとも配信を承認する広告が分類される区分を示すカテゴリを含むユーザ情報をユーザ端末１２Ａから受信からしたか否か判断する（Ｓ１７）。
【００７２】
その結果、ユーザ情報受付部１２Ａがユーザ情報を受信した場合（Ｙ）は、ユーザ情報受付部１２Ａは、受信したユーザ情報をユーザ情報ＤＢ２Ａへ送る。
ユーザ情報ＤＢ２Ａは、ユーザ情報受付部１２Ａより送られたユーザ情報に対してユーザＩＤを付与して記憶する（Ｓ１８）。
そして、ユーザ情報受付部１２Ａは、ユーザ情報ＤＢ２で付与されたユーザＩＤをユーザ端末３０Ａへ送信（返信）する（Ｓ１９）。
【００７３】
一方、ユーザ情報受付部１２Ａがユーザ情報を受信していない場合（Ｎ）は、次に、通信サイト閲覧要求受付部１３が、ユーザを特定するユーザＩＤを含むＷｅｂサイトの閲覧要求をユーザ端末３０Ａから受信したか否か判断する（Ｓ２０）。
【００７４】
その結果、通信サイト閲覧要求受付部１３がＷｅｂサイトの閲覧要求を受信した場合（Ｙ）は、通信サイト閲覧要求受付部１３はその情報を広告掲載数特定部１８とカテゴリ抽出部１４へ送る。
そして、広告掲載数特定部１８は、通信サイト閲覧要求受付部１３から送られた閲覧要求受信の情報に応じ、受信した閲覧要求からＷｅｂサイト情報を取得し、さらに、広告掲載数特定部１８は、サイト情報ＤＢ３を参照して、このＷｅｂサイト情報に基づき、広告の掲載枠数を特定し、この掲載枠数情報をカテゴリ決定部１５へ送る（Ｓ２１）。
【００７５】
また、カテゴリ抽出部１４は、通信サイト閲覧要求受付部１３から送られた閲覧要求受信の情報に応じ、受信した閲覧要求からユーザＩＤを取得し、さらに、カテゴリ抽出部１４は、ユーザ情報ＤＢ２Ａを参照して、このユーザＩＤに基づき、ユーザが配信を承認（選択）する広告が属するカテゴリ全てを抽出し、抽出した全てのカテゴリをカテゴリ決定部１５へ送る（Ｓ２２）。
一方、通信サイト閲覧要求受付部１３がＷｅｂサイトの閲覧要求を受信していない場合（Ｎ）は、広告配信依頼受付部１１が、広告配信依頼要求を広告配信者端末２０から受信したか否か判断を繰り返す（Ｓ１１）。
【００７６】
カテゴリ決定部１５は、カテゴリ抽出部１４より受け付けた全てのカテゴリに対して固有の番号を割り当て、乱数にて表示対象となる一つのカテゴリ情報を決定する（Ｓ２３）。
次いで、カテゴリ決定部１５は、広告配信者情報ＤＢ１を参照して、決定したカテゴリの下層に下位カテゴリはないか判断する（Ｓ２４）。
【００７７】
その結果、決定したカテゴリの下層に下位カテゴリがない場合（Ｙ）、カテゴリ決定部１５は、決定したカテゴリを、広告掲載数特定部１８より受け付けた掲載枠数情報と共に、広告決定部１６へ送る。そして、カテゴリ決定部１５は、掲載枠数情報にしたがって、必要であればカテゴリの決定を繰り返す。
一方、決定したカテゴリの下層に下位カテゴリがある場合（Ｎ）は、カテゴリ決定部１５は、決定したカテゴリのすぐ下位に含まれる全てのカテゴリに対して固有の番号を割り当て、乱数にて表示対象となる一つのカテゴリを、全てのカテゴリの中から決定することを繰り返す（Ｓ２３）。
【００７８】
広告決定部１６は、カテゴリ決定部１５よりカテゴリを受け付けると、露出率変動情報ＤＢ４を参照して露出率変動情報を確認すると共に、受け付けたカテゴリに基づき、広告配信者情報ＤＢ１を参照して該当する広告を全て抽出し、抽出した全ての広告に対して、確認した露出率変動情報に基づいて固有の番号を割り当て、乱数にて表示対象となる一つの広告を抽出し、表示する広告を決定する（Ｓ２５）。決定された広告は、一時的に広告決定部１６に記憶される。
この処理は、カテゴリ決定部１５により決定されたカテゴリ、即ちユーザが選択していた各カテゴリ（例えば、プロ野球、ゴルフ、囲碁）に属する広告情報をそれぞれ抽出して、各カテゴリ内で抽選用の番号を１から順に番号を付し、その中から所定の乱数を発生させて該当する広告ランダムに選択する。この場合、露出率変動情報に応じて、露出率が高くなるようにする。具体的には、露出率変動情報「１」の広告Ａ、Ｂと、露出率変動情報「２」の広告Ｃがある場合、順番に番号を付して、「１．広告情報Ａ、２．広告情報Ｂ、３．広告情報Ｃ、４．広告情報Ｃ」のように、露出率変動情報の数に応じて多く設定する。これにより、設定されている露出率変動情報に応じて、広告情報Ｃが選択される確率が高まることとなる。
なお、この広告情報の選択を行う場合、前回表示された広告情報は、選択の対象から除外してもよい。
次いで、広告の決定後、広告決定部１６は、一時的に記憶する決定済みの広告を参照し、決定した広告が未決定広告か否か、すなわち、重複して決定された広告では無いか判断する（Ｓ２６）。
【００７９】
その結果、決定した広告が未決定広告、すなわち該当するＷｅｂサイトに掲載（送信）するものとして既に決定されていない場合（Ｙ）は、次に、広告決定部１６は、カテゴリ情報と共に受け付けた掲載枠数情報に基づき、決定した広告数と広告掲載枠数が等しいか否か判断する（Ｓ２７）。
一方、決定した広告が既に決定されている広告であった場合（Ｎ）は、広告決定部１６は、再度一つの広告を決定することを繰り返す（Ｓ２５）。
【００８０】
また、決定した広告数と広告掲載枠数が等しいか否か判断した結果、両者が等しい場合（Ｙ）は、決定した広告を全て広告配信部１７へ送り、広告配信部１７は、閲覧要求があった通信サイト情報と共に、受け付けた（決定した）広告をユーザ端末へ送信する（Ｓ２８）。
一方、送信した広告数と広告掲載枠数が等しくない場合（Ｎ）は、カテゴリ抽出部１４が、ユーザ情報ＤＢ２Ａを参照し、ユーザＩＤに基づき、ユーザが配信を承認する広告が属するカテゴリ情報を抽出し、抽出した全てのカテゴリ情報をカテゴリ決定部１５へ送ることを繰り返す（Ｓ２２）。
これにより、本サーバ１０Ａでの基本的な一連の動作は終了（エンド）する。
【００８１】
以上説明したように、本サーバ１０Ａは、多くのカテゴリに属する多くの広告の中から、ユーザが配信を承認したカテゴリに属する特定の広告を選択、決定し、ユーザに提供することができる。すなわち、本サーバ１０Ａは、ユーザが配信を承認する広告が属するカテゴリの中から一つのカテゴリを均等に選択し、さらに選択したカテゴリ内に含まれる広告も均等に選択して、ユーザが閲覧するＷｅｂサイト画面に選択した広告を配信するものである。
【００８２】
したがって、ユーザが閲覧するＷｅｂサイト画面に、同じカテゴリや同じ広告が偏って掲載されてしまうことがなくなり、広告配信者は、広告数が少ないカテゴリに属する広告であったり、想定外の属性に該当するユーザであっても、均等に広告を配信することができるものとなるので、宣伝機会が失われてしまうことがなくなると共に、ユーザに対して、広告に対する印象・興味が薄れ、嫌悪感を抱かせてしまうようなことなく、販売活動の促進を効率良く達成することができる。
よって、従来であれば、広告提供者の入札額が高い広告がいつも表示されていたのが、上述の実施形態によれば、ユーザが登録したカテゴリ、例えば、野球関連の広告が１０件、ゴルフ関係が２０件、囲碁関係が２件広告情報が登録されている場合であっても、各カテゴリに登録された広告は均等に表示され、従来のように登録件数が多い広告（前述の例では、ゴルフの広告）や設定金額の大きい広告のみに偏って広告が出されることがなくなり、効果的な広告提供を行うことができる。
【００８３】
（第二の実施形態）
次に、本発明の別の実施形態について説明する。なお、本実施形態においては、第一の実施形態と同様の構成部分については同じ符合を用い、その説明は省略する。
本実施形態は、ユーザがインターネットなどの通信ネットワークを利用して、ネット広告が掲載（表示又は露出）された企業のホームページや個人のブログといったＷｅｂサイトを閲覧する場合を例に説明する。したがって、本実施形態においてＷｅｂサイト画面に掲載される特定の広告は、サイト管理者が掲載を許諾するカテゴリに属する広告である。
【００８４】
図１５は、本システムの第二の実施形態例を示す概略図であり、図１６は、そのブロック構成図である。
本システムは、広告配信者端末２０とユーザ端末３０Ｂとサイト管理者端末４０のそれぞれと通信ネットワークＮＷを通じて通信可能に接続された広告配信管理装置（以下、「本サーバ」という）１０Ｂとから構成される。
【００８５】
通信ネットワークＮＷの例としては、インターネットやＬＡＮ（Local Area
Network）などのコンピュータ通信網がある。本サーバ１０Ｂ、広告配信者端末２０、ユーザ端末３０Ｂ、サイト管理者端末４０は、専用線、公衆交換電話網（ＰＳＴＮ）、無線電話網、ＣＡＴＶ網、衛星通信網等の通信回線を介して通信ネットワークＮＷと接続している。
【００８６】
広告配信者端末２０は、広告の配信を依頼する広告配信者が利用する端末である。広告配信者端末２０は、本サーバ１０Ａと情報の送受信が可能な情報処理装置であればよく、たとえば、パーソナルコンピュータをはじめ、データ通信機能を有するＰＤＡ（Personal Digital Assistant）や携帯電話機などで実現される。
この広告配信者端末２０は、少なくとも広告配信依頼部２１を備える。
【００８７】
ユーザ端末３０Ｂは、広告が掲載されたＷｅｂサイトを閲覧するユーザが利用する端末である。ユーザ端末３０Ｂもまた、本サーバ１０Ｂと情報の送受信が可能な情報処理装置であればよく、たとえば、パーソナルコンピュータをはじめ、データ通信機能を有するＰＤＡ（Personal Digital Assistant）や携帯電話機などで実現される。
このユーザ端末３０Ｂは、通信サイト閲覧要求部３２と、通信サイト表示３３とを備える。
通信サイト閲覧要求部３２は、Ｗｅｂサイトの閲覧要求を受け付け、本サーバ１０Ｂへ送信する処理を行う手段である。
通信サイト表示３３は、広告掲載許諾情報に基づいて決定された広告と、閲覧要求したＷｅｂサイト情報とを本サーバ１０Ｂより受信し、この広告が掲載されたサイト画面を表示する処理を行う手段である。
【００８８】
サイト管理者端末４０は、ユーザが閲覧するＷｅｂサイトを提供するサイト管理者が利用する端末である。サイト管理者端末４０もまた、本サーバ１０Ｂと情報の送受信が可能な情報処理装置であればよく、たとえば、パーソナルコンピュータをはじめ、データ通信機能を有するＰＤＡ（Personal Digital Assistant）や携帯電話機などで実現される。
このサイト管理者端末４０は、少なくとも広告掲載許諾サイト指定部４１を備える。
広告掲載許諾サイト指定部４１は、少なくともサイト管理者が掲載を許諾する広告が分類される区分を示すカテゴリ情報及び広告の掲載先を指定する掲載先情報を含む広告掲載許諾情報の入力を受け付けて本サーバ１０Ｂへ送信する処理を行う手段である。
この掲載先情報は、サイト管理者が広告の掲載を許諾するＷｅｂサイトのＵＲＬである。
【００８９】
次に、本サーバ１０Ｂの構成について説明する。
本実施形態の場合、本サーバ１０Ｂは、一例として、広告配信者情報ＤＢ１と、サイト管理者情報ＤＢ２Ｂと、広告配信依頼受付部１１と、サイト管理者情報受付部１２Ｂと、通信サイト閲覧要求受付部１３と、カテゴリ抽出部１４と、カテゴリ決定部１５と、広告決定部１６と、広告配信部１７とを少なくとも備える。
【００９０】
また、本サーバ１０Ｂは、図示しないが、ＣＰＵ（中央処理装置）とプログラム記憶部とを有する。ＣＰＵは、プログラム記憶部に記憶されたプログラムに従い、本サーバ１０Ｂの各構成要素を統制制御し、プログラム処理を実行する。プログラム記憶部は、ＲＯＭ（Read Only Memory）やＲＡＭ（Random Access Memory）等で構成され、本サーバ１０Ｂが使用する各種プログラムを記憶している。
【００９１】
なお、本サーバ１０Ｂにおいても、本発明にかかる広告配信プログラム（以下、「本プログラム」という）が動作して本サーバ１０Ｂ内の各手段を制御することで、以下に説明する広告配信方法（以下、「本方法」という）を実現する。
また、本プログラムを記録したコンピュータ読取可能な記録媒体（以下、「本記録媒体」という）を用いれば、図示しないコンピュータを本サーバ１０Ｂと同様に機能させることができる。すなわち、図示しないコンピュータが、本記録媒体から本プログラムを読取、実行することで、本方法を実現することができる。
【００９２】
サイト管理者情報ＤＢ２Ｂは、サイト管理者情報受付部１２Ｂにて受信した、カテゴリ及び広告の掲載先を指定する掲載先情報を含む広告掲載許諾情報を記憶する記憶手段である。
また、サイト管理者情報ＤＢ２Ｂは、サイト管理者情報受付部１２Ｂがユーザ属性情報を受信した場合、このユーザ属性情報とカテゴリ及び掲載先情報とを関連付けて記憶する。
図１７は、サイト管理者情報受付部１２Ｂに記憶されている情報の例を示す模式図であり、たとえば、サイト管理者ＩＤ、サイトＩＤ、ＵＲＬ情報、カテゴリ区分１、カテゴリ区分２、及び性別、年齢、配信地域などといったユーザ属性情報が関連付けられて記憶されている。
【００９３】
カテゴリ区分１及びカテゴリ区分２は、サイト管理者が掲載を許諾する広告が分類される区分を示し、広告配信者情報ＤＢ１と同様に区分して示すものとしている。性別は、ユーザ自身の性別であり、男性の場合「１」、女性の場合「２」で示すものとしている。また、居住地域は、ユーザ自身の居住地域（又は職場地域）であり、たとえば図５に示す配信地域区分データベースに基づいて区分して示すものとしている。
【００９４】
したがって、図１７では、サイト管理者ＩＤ「ＳＣ００１」のサイト管理者が提供する、サイトＩＤ「ＨＰ００１」のＷｅｂサイトは、ＵＲＬが「ｈｔｔｐ:// ｗｗｗ.ａｂｃ.ｃｏ.ｊｐ/」である。このサイト管理者ＩＤ「ＳＣ００１」のサイト管理者が掲載を許諾する広告の区分は、上位カテゴリが「ＡＡＡ」及び下位カテゴリが「ａａａ」に属し、また、掲載を許諾する広告が指定するユーザ属性は、年齢、性別及び居住地域（又は職場地域）は何れも問わないことを示している。また、サイト管理者ＩＤ「ＳＣ００２」のサイト管理者が提供する、サイトＩＤ「ＨＰ００２」のＷｅｂサイトは、ＵＲＬが「ｈｔｔｐ:// ｗｗｗ.ａａａ.ｃｏｍ/」である。このサイト管理者ＩＤ「ＳＣ００２」のサイト管理者が掲載を許諾する広告の区分は、上位カテゴリが「ＢＢＢ」及び下位カテゴリが「ｂｂｂ」に属し、また、掲載を許諾する広告が指定するユーザ属性は、年齢、性別及び居住地域（又は職場地域）は何れも問わないことを示している。
【００９５】
本サーバ１０Ｂは、サイトＩＤもしくはＵＲＬ情報をインデックスとしてサイト管理者情報受付部１２Ｂを検索することで、このサイトＩＤもしくはＵＲＬ情報に関連付けて記憶されているカテゴリ区分、掲載を許諾する広告が指定するユーザ属性を読み出すことができる。
【００９６】
サイト管理者情報受付部１２Ｂは、広告掲載許諾情報をサイト管理者端末４０から受信する処理を行う手段である。サイト管理者情報受付部１２Ｂにて受信した広告掲載許諾情報は、サイト管理者情報ＤＢ２Ｂへ送られる。
また、サイト管理者情報受付部１２Ｂは、広告掲載許諾情報としてユーザ属性をさらに受信する処理も行う。
【００９７】
カテゴリ抽出部１４は、通信サイト閲覧要求受付部１３にて受信した閲覧要求があった通信サイトを広告の掲載先としてサイト管理者情報ＤＢ２Ｂを参照し、広告掲載許諾情報に含まれる掲載先情報に基づきカテゴリを抽出する処理を行う手段である。
また、カテゴリ抽出部１４は、通信サイト閲覧要求受付部１３が閲覧要求を受信した場合、サイト管理者情報ＤＢ２Ｂを参照して、掲載先情報に基づきカテゴリと共にユーザ属性を抽出する処理も行う。
そして、カテゴリ抽出部１４にて抽出したカテゴリはカテゴリ決定部１５へ送られ、一方、カテゴリ抽出部１４にて抽出したユーザ属性は広告決定部１６へ送られる。
【００９８】
カテゴリ決定部１５は、カテゴリ抽出部１４にて抽出したカテゴリの中から一つのカテゴリを決定する処理を行う手段である。
また、カテゴリ決定部１５は、カテゴリが階層的に構成されている場合、カテゴリの階層数に応じてカテゴリの決定を繰り返す処理も行う。
そして、カテゴリ決定部１５にて決定された一つのカテゴリは、広告決定部１６へ送られる。
【００９９】
また、本サーバ１０Ｂは、サイト情報ＤＢ３と、広告掲載数特定部１８とをさらに備えていても良い。
さらにた、本サーバ１０Ｂは、露出率変動情報ＤＢ４と、露出率変動情報受付部１９とをさらに備えていても良い。
【０１００】
次に、図１８を参照しながら、本方法について説明する。
図１８は、第二の実施形態の例を示すシーケンス図である。
第二の実施形態では、サイト管理者が掲載を許諾する広告をＷｅｂサイトに掲載するようにしたものである。
まず、本サーバ１０内の記憶部に、カテゴリ区分情報、配信地域区分情報といった所定の情報をあらかじめ記憶しておく。
次いで、広告配信者が、広告配信者端末２０より本サーバ１０Ｂに対して、広告配信依頼を要求する（（５１）参照）。
本サーバ１０Ｂは、広告配信者端末２０からの広告配信依頼要求を受信し、これに応じて広告配信依頼設定画面を広告配信者端末２０へ送信する（（５２）参照）。
【０１０１】
次に、広告配信者端末２０は、本サーバ１０Ａから送信された広告配信依頼設定画面を受信し、これを出力する。この広告配信依頼設定画面は、たとえば図１０に示すような形で表すことができる。
そして、広告配信者は、広告配信者端末２０にて広告配信依頼設定画面に広告配信依頼情報となる所定事項を入力し、依頼するボタンを選択することにより、広告配信依頼情報と共に広告を本サーバ１０Ａへ返信する（（５３）参照）。この際、広告配信依頼情報として広告の配信先条件を指定する配信先の属性を入力することで、対象を絞り込んだ均等な広告の配信による効果的な宣伝を行なうこともできる。
【０１０２】
本サーバ１０Ｂは、広告配信者端末２０からの広告及び広告配信依頼情報を受信する（（５４）参照）。
次いで、本サーバ１０Ｂは、受信した広告及び広告配信依頼情報を関連付けて、広告配信者情報ＤＢ１に記憶する（（５５）参照）。
【０１０３】
次に、本サーバ１０Ｂが、広告の掲載を求めるＷｅｂサイトを提供するサイト管理者のサイト管理者端末４０に対して、広告掲載許可問合せを送信する（（５６）参照）。
サイト管理者端末４０は、広告掲載許可問合せの受信に応じ、少なくともサイト管理者が掲載を許諾する広告が分類される区分を示すカテゴリ及び広告の掲載先を指定する掲載先情報を含む広告掲載許諾情報の入力を受け付け、本サーバ１０Ｂへ送信（返信）する（（５７）参照）。
【０１０４】
本サーバ１０Ｂは、サイト管理者端末４０からの広告掲載許諾情報を受信する（（５８）参照）。
次いで、本サーバ１０は、受信した広告掲載許諾情報をサイト管理者情報ＤＢ２Ｂに記憶する（（５９）参照）。
次に、ユーザは、ユーザ端末３０Ｂより本サーバ１０Ｂに対してＷｅｂサイトの閲覧を要求する（（６０）参照）。
本サーバ１０Ｂは、ユーザ端末３０ＢからのＷｅｂサイトの閲覧要求を受信する（（６１）参照）。
本サーバ１０Ｂは、ユーザ端末３０ＢからのＷｅｂサイトの閲覧要求に応じ、サイト管理者情報ＤＢ２Ｂ参照し、サイト管理者が掲載を許諾する広告が分類されるカテゴリ情報を抽出する（（６２）参照）。
【０１０５】
引き続き本サーバ１０Ｂは、抽出したカテゴリ情報の中から一つのカテゴリ情報を決定する（（６３）参照）。
さらに、本サーバ１０Ｂは、カテゴリ情報の決定後、広告配信者情報ＤＢ１を参照し、決定したカテゴリ情報に属する広告の中から一つの広告を決定する（（６４）参照）。
その後、本サーバ１０Ｂは、閲覧要求があったＷｅｂサイト情報と共に、決定した広告をユーザ端末３０Ｂへ送信する（（６５）参照）。
【０１０６】
ユーザ端末３０Ｂは、本サーバ１０Ｂから送信のあったＷｅｂサイト情報と広告とを受信する（（６６）参照）。
そして、ユーザ端末３０Ｂは、受信したＷｅｂサイト情報と広告とを、この広告が掲載されたＷｅｂサイト画面として出力し、表示する（（６７）参照）。
これにより、ユーザは、サイト管理者が掲載を許諾するカテゴリに属する特定の広告が掲載されたＷｅｂサイト画面を閲覧することができる。
【０１０７】
次に、以上のような構成による本サーバ１０Ｂの基本的な動作の一例を、図１９及び図２０を参照しながら説明する。図１９は、上記第二の実施形態を実施する本サーバ１０Ｂでの処理の流れを示すフローチャートであり、図２０は、その続きを示すフローチャートである。
図１９及び図２０に示されるように、まず、広告配信依頼受付部１１が、広告配信依頼要求を広告配信者端末２０から受信したか否か判断する（Ｓ５１）。
広告配信依頼受付部１１が広告配信依頼要求を受信した場合（Ｙ）は、引き続き広告配信依頼受付部１１は、この広告配信依頼要求の受信に応じて、広告配信依頼設定画面を広告配信者端末２０へ送信（返信）する（Ｓ５２）。
【０１０８】
一方、広告配信依頼受付部１１が広告配信依頼要求を受信していない場合（Ｎ）、又は広告配信依頼受付部１１が広告配信依頼設定画面を送信した後、広告配信依頼受付部１１は、配信を依頼する広告と、少なくともこの広告が分類される区分を示すカテゴリ情報を含む広告配信依頼情報を広告配信者端末２０から受信したか否か判断する（Ｓ５３）。
【０１０９】
その結果、広告配信依頼受付部１１が広告と広告配信依頼情報とを受信した場合（Ｙ）は、広告配信依頼受付部１１は、受信した広告と広告配信依頼情報を広告配信者情報ＤＢ１へ送る。
広告配信者情報ＤＢ１は、広告配信依頼受付部１１より送られた広告と広告配信依頼情報とを関連付けて記憶する（Ｓ５４）。
次に、サイト管理者情報受付部１２Ｂが、サイト管理者端末４０に対して、サイト管理者が掲載を許諾する広告が分類される区分を示すカテゴリ及び広告の掲載先を指定する掲載先情報を含む広告掲載許諾情報の登録を求める広告掲載許可の問い合わせを送信する（Ｓ５５）。
【０１１０】
また、広告配信依頼受付部１１が広告と広告配信依頼情報とを受信していない場合（Ｎ）、又はサイト管理者情報受付部１２Ｂが、サイト管理者端末４０に対して広告掲載許可の問い合わせを送信した後、次に、サイト管理者情報受付部１２Ｂが、広告掲載許諾情報をサイト管理者端末４０から受信したか否か判断する（Ｓ５６）。
【０１１１】
その結果、サイト管理者情報受付部１２Ｂが広告掲載許諾情報を受信した場合（Ｙ）は、サイト管理者情報受付部１２Ｂは、受信した広告掲載許諾情報をサイト管理者情報ＤＢ２Ｂへ送る。
サイト管理者情報ＤＢ２Ｂは、サイト管理者情報受付部１２Ｂより送られた広告掲載許諾情報を記憶する（Ｓ５７）。
一方、サイト管理者情報受付部１２Ｂが広告掲載許諾情報を受信していない場合（Ｎ）は、次に、通信サイト閲覧要求受付部１３が、Ｗｅｂサイトの閲覧要求をユーザ端末３０Ａから受信したか否か判断する（Ｓ５８）。
【０１１２】
その結果、通信サイト閲覧要求受付部１３がＷｅｂサイトの閲覧要求を受信した場合（Ｙ）は、通信サイト閲覧要求受付部１３はその情報を広告掲載数特定部１８とカテゴリ抽出部１４へ送る。
そして、広告掲載数特定部１８は、通信サイト閲覧要求受付部１３から送られた閲覧要求受信の情報に応じ、受信した閲覧要求からＷｅｂサイト情報を取得し、さらに、広告掲載数特定部１８は、サイト情報ＤＢ３を参照して、このＷｅｂサイト情報に基づき、広告の掲載枠数を特定し、この掲載枠数情報をカテゴリ決定部１５へ送る（Ｓ５９）。
【０１１３】
また、カテゴリ抽出部１４は、通信サイト閲覧要求受付部１３から送られた閲覧要求受信の情報に応じ、閲覧要求があったＷｅｂサイトを広告の掲載先としてサイト管理者情報ＤＢ２Ｂを参照し、掲載先情報に基づきカテゴリ情報を抽出し、抽出した全てのカテゴリ情報をカテゴリ決定部１５へ送る（Ｓ６０）。
一方、通信サイト閲覧要求受付部１３がＷｅｂサイトの閲覧要求を受信していない場合（Ｎ）は、広告配信依頼受付部１１が、広告配信依頼要求を広告配信者端末２０から受信したか否か判断を繰り返す（Ｓ５１）。
【０１１４】
カテゴリ決定部１５は、カテゴリ抽出部１４より受け付けた全てのカテゴリ情報に対して固有の番号を割り当て、乱数にて表示対象となる一つのカテゴリ情報を決定する（Ｓ６１）。
次いで、カテゴリ決定部１５は、広告配信者情報ＤＢ１を参照して、決定したカテゴリ情報に下層（下位）カテゴリ情報はないか否か判断する（Ｓ６２）。
【０１１５】
その結果、決定したカテゴリ情報に下層（下位）カテゴリ情報がない場合（Ｙ）、カテゴリ決定部１５は、決定したカテゴリ情報を、広告掲載数特定部１８より受け付けた掲載枠数情報と共に、広告決定部１６へ送る。そして、カテゴリ決定部１５は、掲載枠数情報にしたがって、必要であればカテゴリ情報の決定を繰り返す。
【０１１６】
一方、決定したカテゴリ情報に下層（下位）カテゴリ情報がある場合（Ｎ）は、カテゴリ決定部１５は、決定したカテゴリ情報のすぐ下層（下位）に含まれる全てのカテゴリ情報に対して固有の番号を割り当て、乱数にて表示対象となる一つのカテゴリ情報をカテゴリ情報の中から決定することを繰り返す（Ｓ６１）。
【０１１７】
広告決定部１６は、カテゴリ決定部１５よりカテゴリ情報を受け付けると、露出率変動情報ＤＢ４を参照して露出率変動情報を確認すると共に、受け付けたカテゴリ情報に基づき、広告配信者情報ＤＢ１を参照して該当する広告を全て抽出し、抽出した全ての広告に対して、確認した露出率変動情報に基づいて固有の番号を割り当て、乱数にて表示対象となる一つの広告を抽出し、表示する広告を決定する（Ｓ６３）。決定された広告は、一時的に広告決定部１６に記憶される。
【０１１８】
次いで、広告の決定後、広告決定部１６は、一時的に記憶する決定済みの広告を参照し、決定した広告が未決定広告か否か、すなわち、重複して決定された広告では無いか判断する（Ｓ６４）。
【０１１９】
その結果、決定した広告が未決定広告、すなわち該当するＷｅｂサイトに掲載（送信）するものとして既に決定されていない場合（Ｙ）は、次に、広告決定部１６は、カテゴリ情報と共に受け付けた掲載枠数情報に基づき、決定した広告数と広告掲載枠数が等しいか否か判断する（Ｓ６５）。
一方、決定した広告が既に決定されている広告であった場合（Ｎ）は、広告決定部１６は、再度一つの広告を決定することを繰り返す（Ｓ６３）。
【０１２０】
また、決定した広告数と広告掲載枠数が等しいか否か判断した結果、両者が等しい場合（Ｙ）は、決定した広告を全て広告配信部１７へ送り、広告配信部１７は、閲覧要求があった通信サイト情報と共に、受け付けた（決定した）広告をユーザ端末へ送信する（Ｓ６６）。
一方、送信した広告数と広告掲載枠数が等しくない場合（Ｎ）は、カテゴリ抽出部１４が、サイト管理者情報ＤＢ２Ｂを参照し、掲載先情報に基づきカテゴリ情報を抽出し、抽出した全てのカテゴリ情報をカテゴリ決定部１５へ送ることを繰り返す（Ｓ６０）。
これにより、本サーバ１０Ｂでの基本的な一連の動作は終了（エンド）する。
【０１２１】
以上説明したように、本サーバ１０Ｂは、多くのカテゴリに属する多くの広告の中からサイト管理者が掲載を許諾するカテゴリに属する特定の広告を選択、決定し、ユーザに提供することができる。すなわち、本サーバ１０Ｂは、サイト管理者が掲載を許諾する広告が属するカテゴリの中から一つのカテゴリを均等に選択し、さらに選択したカテゴリ内に含まれる広告も均等に選択して、ユーザが閲覧するＷｅｂサイト画面に選択した広告を配信するものである。
【０１２２】
したがって、第一の実施形態と同じように、本実施形態においても、ユーザが閲覧するＷｅｂサイト画面に、同じカテゴリや同じ広告に偏って掲載されてしまうことなくなり、広告配信者は、広告数が少ないカテゴリに属する広告であったり、想定外の属性に該当するユーザであっても、均等に広告は配信することができるものとなるので、宣伝機会が失われてしまうことがなくなると共に、ユーザに対して、広告に対する印象・興味が薄れ、嫌悪感を抱かせてしまうことなく、販売活動の促進を効率良く達成することができる。
【０１２３】
上述の実施形態に加えて、Ｗｅｂサイトを構成するＷｅｂページごとに、各ユーザの利用時間をサーバ側で取得して、ユーザが、使用時間の長いＷｅｂページに見ているときに露出率の高い広告を優先的に表示させるようにしてもよい。
例えば、Ｗｅｂサイト内に、電子メールを送受信するページと、スケジュールを管理するページ、電子掲示板のページがある場合、あるユーザＡが電子メールのページを一日5時間、スケジュールのページを1日２時間、電子掲示板のページを1日1時間見ているとすると、ユーザが電子メールのページを開いているときだけ、露出率の高い広告がより多く選択されるように重み付け係数を加味して計算する。
これにより、ユーザがもっとも使用しているページに、露出率が高い広告を提供することができる。
【図面の簡単な説明】
【０１２４】
【図１】本発明に係る広告配信システムの第一の実施形態例を示す概略図である。
【図２】本発明に係る広告配信システムの第一の実施形態例を示すブロック構成図である。
【図３】本発明に係る広告配信管理装置が備える記憶部に記憶されている広告配信者情報データベースの構造例である。
【図４】本発明に係る広告配信管理装置が備える記憶部に記憶されているカテゴリデータベースの構造例である。
【図５】本発明に係る広告配信管理装置が備える記憶部に記憶されている配信地域区分データベースの構造例である。
【図６】本発明に係る広告配信管理装置が備える記憶部に記憶されているユーザ情報データベースの構造例である。
【図７】本発明に係る広告配信管理装置が備える記憶部に記憶されているサイト情報データベースの構造例である。
【図８】本発明に係る広告配信管理装置が備える記憶部に記憶されている露出率変動情報データベースの構造例である。
【図９】本発明に係る広告配信方法の第一の実施形態の処理の流れを示すシーケンス図である。
【図１０】本発明に係る広告配信管理装置と接続した広告配信者端末のディスプレイに表示された広告配信依頼画面例を示す模式図である。
【図１１】本発明に係る広告配信管理装置と接続したユーザ端末のディスプレイに表示されたユーザ登録設定画面例を示す模式図である。
【図１２】本発明に係る広告配信管理装置と接続したユーザ端末のディスプレイに表示されたＷｅｂサイト画面例を示す模式図である。
【図１３】本発明に係る広告配信方法の第一の実施形態に係る情報処理例を示すフローチャートである。
【図１４】図１０に示す情報処理例の続きを示すフローチャートである。
【図１５】本発明に係る広告配信システムの第二の実施形態例を示す概略図である。
【図１６】本発明に係る広告配信システムの第二の実施形態例を示すブロック構成図である。
【図１７】本発明に係る広告配信管理装置が備える記憶部に記憶されているサイト管理者情報データベースの構造例である。
【図１８】本発明に係る広告配信方法の第二の実施形態の処理の流れを示すシーケンス図である。
【図１９】本発明に係る広告配信方法の第二の実施形態に係る情報処理例を示すフローチャートである。
【図２０】図１６に示す情報処理例の続きを示すフローチャートである。
【符号の説明】
【０１２５】
ＤＢ１  広告配信者情報ＤＢ２Ａ  ユーザ情報ＤＢ２Ｂ  サイト管理者情報ＤＢ３  サイト情報ＤＢ４  露出率変動情報記憶部、ＮＷ  通信ネットワーク、Ｐ１  広告配信依頼画面、Ｐ２  ユーザ登録設定画面、Ｐ３  Ｗｅｂサイト画面、Ｐ３１，Ｐ３２，Ｐ３３  広告掲載枠、１０Ａ，１０Ｂ  広告配信管理装置（サーバ）、２０  広告配信者端末、３０Ａ，３０Ｂ  ユーザ端末、４０  サイト管理者端末。
【図１】
2007200168.tif 000003
【図２】
2007200168.tif 000004
【図３】
2007200168.tif 000005
【図４】
2007200168.tif 000006
【図５】
2007200168.tif 000007
【図６】
2007200168.tif 000008
【図７】
2007200168.tif 000009
【図８】
2007200168.tif 000010
【図９】
2007200168.tif 000011
【図１０】
2007200168.tif 000012
【図１１】
2007200168.tif 000013
【図１２】
2007200168.tif 000014
【図１３】
2007200168.tif 000015
【図１４】
2007200168.tif 000016
【図１５】
2007200168.tif 000017
【図１６】
2007200168.tif 000018
【図１７】
2007200168.tif 000019
【図１８】
2007200168.tif 000020
【図１９】
2007200168.tif 000021
【図２０】
2007200168.tif 000022
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
ユーザがネットワークを通じて閲覧する通信サイト画面に特定の広告を掲載する広告配信システムであって、
上記広告の配信を依頼する広告配信者が利用する広告配信者端末と、上記広告が掲載された通信サイトを閲覧するユーザが利用するユーザ端末と、これら上記広告配信者端末及び上記ユーザ端末とネットワークを通じて通信可能に接続された広告配信管理装置とを備え、
上記広告配信者端末は、
配信を依頼する広告と共に、少なくともこの広告が分類される区分を示すカテゴリ情報を含む広告配信依頼情報の入力を受け付けて広告配信管理装置へ送信する広告配信依頼手段を有し、
上記ユーザ端末は、
少なくともユーザにより配信を承認された広告が分類される区分を示すカテゴリ情報を含むユーザ情報の入力を受け付けて広告配信管理装置へ送信する配信承認広告指定手段と、
ユーザを特定する識別情報の入力を伴う通信サイトの閲覧要求を受け付け、広告配信管理装置へ送信する通信サイト閲覧要求手段と、
ユーザ情報に基づいて決定された広告と閲覧要求した通信サイト情報とを広告配信管理装置より受信し、この広告が掲載されたサイト画面を表示する通信サイト表示手段と、
を少なくとも有し、
上記広告配信管理装置は、
広告配信依頼受付手段にて受信した広告と広告配信依頼情報とを関連付けて記憶する広告配信特定の広告に対して、当該広告の露出率を高める露出率変動情報を記憶する露出率変動情報記憶手段と、
広告と広告配信依頼情報とを広告配信者端末から受信する広告配信依頼受付手段と、
ユーザ情報をユーザ端末から受信するユーザ情報受付手段と、
ユーザ情報受付手段にて受信したユーザ情報にユーザの識別情報を付与して記憶するユーザ情報記憶手段と、
ユーザの識別情報を含む通信サイトの閲覧要求をユーザ端末から受信する通信サイト閲覧要求受付手段と、
通信サイト閲覧要求受付手段にて受信した閲覧要求からユーザの識別情報を取得し、ユーザ情報記憶部を参照して、この識別情報に基づきカテゴリ情報を抽出するカテゴリ抽出手段と、
抽出した複数のカテゴリ情報に固有の番号を割り当て、その中から乱数で、表示対象となる一つのカテゴリ情報を決定するカテゴリ決定手段と、
カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告をユーザ端末へ送信する広告配信手段と、
を少なくとも有することを特徴とする広告配信システム。
【請求項２】
ユーザがネットワークを通じて閲覧する通信サイト画面に特定の広告を掲載する広告配信システムであって、
上記広告の配信を依頼する広告配信者が利用する広告配信者端末と、上記ユーザが閲覧する通信サイトを提供するサイト管理者が利用するサイト管理者端末と、上記広告が掲載された通信サイトを閲覧するユーザが利用するユーザ端末と、これら上記広告配信者端末、上記サイト管理者端末、及び上記ユーザ端末とネットワークを通じて通信可能に接続された広告配信管理装置とを備え、
上記広告配信者端末は、
配信を依頼する広告と共に、少なくともこの広告が分類される区分を示すカテゴリ情報を含む広告配信依頼情報の入力を受け付けて広告配信管理装置へ送信する広告配信依頼手段を有し、
上記サイト管理者端末は、
少なくともサイト管理者が掲載を許諾する広告が分類される区分を示すカテゴリ情報及び広告の掲載先を指定する掲載先情報を含む広告掲載許諾情報の入力を受け付けて広告配信管理装置へ送信する広告掲載許諾サイト指定手段を有し、
上記ユーザ端末は、
通信サイトの閲覧要求を受け付け、広告配信管理装置へ送信する通信サイト閲覧要求手段と、
広告掲載許諾情報に基づいて決定された広告と閲覧要求した通信サイト情報とを広告配信管理装置より受信し、この広告が掲載されたサイト画面を表示する通信サイト表示手段と、
を少なくとも有し、
上記広告配信管理装置は、
広告配信依頼受付手段にて受信した広告と広告配信依頼情報とを関連付けて記憶する広告配信特定の広告に対して、当該広告の露出率を高める露出率変動情報を記憶する露出率変動情報記憶手段と、
広告と広告配信依頼情報とを広告配信者端末から受信する広告配信依頼受付手段と、
広告配信依頼受付手段にて受信した広告と広告配信依頼情報とを関連付けて記憶する広告配信者情報記憶手段と、
広告掲載許諾情報をサイト管理者端末から受信するサイト管理者情報受付手段と、
サイト管理者情報受付手段にて受信した広告掲載許諾情報を記憶するサイト管理者情報記憶手段と、
通信サイトの閲覧要求をユーザ端末から受信する通信サイト閲覧要求受付手段と、
通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、
抽出した複数のカテゴリ情報に固有の番号を割り当て、その中から乱数で、表示対象となる一つのカテゴリ情報を決定するカテゴリ決定手段と、
カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告をユーザ端末へ送信する広告配信手段と、
を少なくとも有することを特徴とする広告配信システム。
【請求項３】
広告の配信を依頼する広告配信者が利用する広告配信者端末と、広告が掲載された通信サイトを閲覧するユーザが利用するユーザ端末と、通信ネットワークを介してそれぞれ接続され、ユーザがネットワークを通じて閲覧する通信サイト画面に特定の広告を掲載する広告配信管理装置であって、
広告配信依頼受付手段にて受信した広告と広告配信依頼情報とを関連付けて記憶する広告配信特定の広告に対して、当該広告の露出率を高める露出率変動情報を記憶する露出率変動情報記憶手段と、
配信を依頼する広告と、少なくともこの広告が分類される区分を示すカテゴリ情報を含む広告配信依頼情報とを上記広告配信者端末から受信する広告配信依頼受付手段と、
広告配信依頼受付手段にて受信した広告と広告配信依頼情報とを関連付けて記憶する広告配信者情報記憶手段と、
少なくとも配信を承認する広告が分類される区分を示すカテゴリ情報を含むユーザ情報を上記ユーザ端末から受信するユーザ情報受付手段と、
ユーザ情報受付手段にて受信したユーザ情報にユーザの識別情報を付与して記憶するユーザ情報記憶手段と、
ユーザの識別情報を含む通信サイトの閲覧要求を上記ユーザ端末から受信する通信サイト閲覧要求受付手段と、
通信サイト閲覧要求受付手段にて受信した閲覧要求からユーザの識別情報を取得してユーザ情報記憶部を参照し、この識別情報に基づきカテゴリ情報を抽出するカテゴリ抽出手段と、
抽出した複数のカテゴリ情報に固有の番号を割り当て、その中から乱数で、表示対象となる一つのカテゴリ情報を決定するカテゴリ決定手段と、
カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告を上記ユーザ端末へ送信する広告配信手段と、
を少なくとも有することを特徴とする広告配信管理装置。
【請求項４】
前記広告配信依頼受付手段が、広告配信依頼情報として広告の配信先条件を指定する配信先属性情報をさらに受信し、
前記広告配信者情報記憶手段が、広告配信依頼受付手段にて受信した配信先属性情報と広告とを関連付けて記憶し、
前記ユーザ情報受付手段が、ユーザ情報としてユーザ属性情報をさらに受信し、
前記ユーザ情報記憶手段が、ユーザ情報受付手段にて受信したユーザ属性情報とカテゴリ情報とを関連付けて記憶し、
前記カテゴリ抽出手段が、ユーザ情報記憶手段を参照して、カテゴリ情報と共にユーザ属性情報をさらに抽出し、
前記広告決定手段が、広告配信者情報記憶部を参照して、決定したカテゴリ情報に属する広告の中から上記ユーザ属性情報に適合する配信属性を有する一つの広告を決定する
ことを特徴とする請求項３に記載の広告配信管理装置。
【請求項５】
広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載する広告配信管理装置であって、
広告配信依頼受付手段にて受信した広告と広告配信依頼情報とを関連付けて記憶する広告配信特定の広告に対して、当該広告の露出率を高める露出率変動情報を記憶する露出率変動情報記憶手段と、
配信を依頼する広告と、少なくともこの広告が分類される区分を示すカテゴリ情報を含む広告配信依頼情報とを上記広告配信者端末から受信する広告配信依頼受付手段と、
広告配信依頼受付手段にて受信した広告と広告配信依頼情報とを関連付けて記憶する広告配信者情報記憶手段と、
少なくともサイト管理者が掲載を許諾する広告が分類される区分を示すカテゴリ情報及び広告の掲載先を指定する掲載先情報を含む広告掲載許諾情報を上記サイト管理者端末から受信するサイト管理者情報受付手段と、
サイト管理者情報受付手段にて受信した広告掲載許諾情報を記憶するサイト管理者情報記憶手段と、
通信サイトの閲覧要求を上記ユーザ端末から受信する通信サイト閲覧要求受付手段と、
通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、
抽出した複数のカテゴリ情報に固有の番号を割り当て、その中から乱数で、表示対象となる一つのカテゴリ情報を決定するカテゴリ決定手段と、
カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告を上記ユーザ端末へ送信する広告配信手段と、
を少なくとも有することを特徴とする広告配信管理装置。
【請求項６】
前記広告配信依頼受付手段が、広告配信依頼情報として広告の配信先条件を指定する配信先属性情報をさらに受信し、
前記広告配信者情報記憶部が、広告配信依頼受付手段にて受信した配信先属性情報と広告とを関連付けて記憶し、
前記サイト管理者情報受付手段が、広告掲載許諾情報としてユーザ属性情報をさらに受信し、
前記サイト管理者情報記憶部が、サイト管理者情報受付手段にて受信したユーザ属性情報とカテゴリ情報及び掲載先情報とを関連付けて記憶し、
前記カテゴリ抽出手段が、サイト管理者情報記憶部を参照して、カテゴリ情報と共にユーザ属性情報をさらに抽出し、
前記広告決定手段が、広告配信者情報記憶部を参照して、決定したカテゴリ情報に属する広告の中から上記ユーザ属性情報に適合する配信属性を有する一つの広告を決定する、
ことを特徴とする請求項５に記載の広告配信管理装置。
【請求項７】
前記広告配信者情報記憶部が、広告配信依頼受付手段にて受信したカテゴリ情報を階層的に記憶し、
前記カテゴリ決定手段が、カテゴリ情報の階層数に応じてカテゴリ情報の決定を繰り返すことを特徴とする請求項３乃至６の何れか１項に記載の広告配信管理装置。
【請求項８】
予め通信サイト情報と、通信サイト画面に掲載される広告の掲載枠数情報とを関連付けて記憶するサイト情報記憶手段と、
前記通信サイト閲覧要求受付手段での通信サイトの閲覧要求の受信に応じてサイト情報を取得し、サイト情報記憶部を参照してサイト情報に基づき広告の掲載枠数を特定する広告掲載数特定手段と、
をさらに有し、
前記広告決定手段は、広告掲載数特定手段にて特定された広告掲載枠数に応じて、前記カテゴリ決定手段にて決定したカテゴリ情報に属する広告情報の中から広告の決定を繰り返すことを特徴とする請求項３乃至６の何れか１項に記載の広告配信管理装置。
【請求項９】
予め通信サイト情報と、通信サイト画面に掲載される広告の掲載枠数情報とを関連付けて記憶するサイト情報記憶手段と、
前記通信サイト閲覧要求受付手段での通信サイトの閲覧要求の受信に応じてサイト情報を取得し、サイト情報記憶部を参照してサイト情報に基づき広告の掲載枠数を特定する広告掲載数特定手段と、
をさらに有し、
前記カテゴリ決定手段は、広告掲載数特定手段にて特定された広告掲載枠数に応じてカテゴリ情報の決定を繰り返し、前記広告決定手段は、前記カテゴリ決定手段でのカテゴリ情報の決定に応じて広告の決定を繰り返すことを特徴とする請求項３乃至６の何れか１項に記載の広告配信管理装置。
【請求項１０】
広告の配信を依頼する広告配信者が利用する広告配信者端末と、広告が掲載された通信サイトを閲覧するユーザが利用するユーザ端末と、に通信ネットワークを介してそれぞれ接続された広告配信管理装置を備え、ユーザがネットワークを通じて閲覧する通信サイト画面に特定の広告を掲載する広告配信方法であって、
広告配信依頼受付手段にて受信した広告と広告配信依頼情報とを関連付けて記憶する広告配信特定の広告に対して、当該広告の露出率を高める露出率変動情報を記憶する露出率変動情報記憶手段と、
配信を依頼する広告と共に、少なくともこの広告が分類される区分を示すカテゴリ情報を含む広告配信依頼情報と、広告と関連付けて記憶する広告配信者情報記憶手段と、
少なくともユーザの識別情報及び、ユーザが配信を承認する広告が分類される区分を示すカテゴリ情報を含むユーザ情報を記憶したユーザ情報受付手段とを有し、
上記広告配信管理装置が、ユーザ端末から送信されたユーザの識別情報を含む通信サイトの閲覧要求を通信サイト閲覧要求受付手段にて受信するステップ、
上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、
上記広告配信管理装置が、カテゴリ抽出手段にて抽出した複数のカテゴリ情報に固有の番号を割り当て、その中から乱数で、表示対象となる一つのカテゴリ情報を決定するステップ、
上記広告配信管理装置が、カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定するステップ、
上記広告配信管理装置が、閲覧要求があった通信サイト情報と共に、広告決定手段にて決定した広告を広告配信手段よりユーザ端末へ送信するステップ、
上記ユーザ端末が、広告配信管理装置から送信された通信サイト情報と広告とを通信サイト表示手段にて受信し、さらに通信サイト表示手段がこの広告が掲載されたサイト画面を表示するステップ、
を少なくとも有することを特徴とする広告配信方法。
【請求項１１】
広告の配信を依頼する広告配信者が利用する広告配信者端末と、広告が掲載された通信サイトを閲覧するユーザが利用するユーザ端末と、に通信ネットワークを介してそれぞれ接続され、
広告配信依頼受付手段にて受信した広告と広告配信依頼情報とを関連付けて記憶する広告配信特定の広告に対して、当該広告の露出率を高める露出率変動情報を記憶する露出率変動情報記憶手段と、
配信を依頼する広告と共に、少なくともこの広告が分類される区分を示すカテゴリ情報を含む広告配信依頼情報と、広告と関連付けて記憶する広告配信者情報記憶手段と、
少なくともユーザの識別情報及び、ユーザが配信を承認する広告が分類される区分を示すカテゴリ情報を含むユーザ情報を記憶したユーザ情報受付手段とを有するコンピュータを広告配信装置として機能させるためのコンピュータプログラムであって、
上記コンピュータに対して、
上記広告配信管理装置が、ユーザ端末から送信されたユーザの識別情報を含む通信サイトの閲覧要求を通信サイト閲覧要求受付手段にて受信するステップ、
上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、
上記広告配信管理装置が、カテゴリ抽出手段にて抽出した複数のカテゴリ情報に固有の番号を割り当て、その中から乱数で、表示対象となる一つのカテゴリ情報をカテゴリ決定手段にて決定するステップ、
上記広告配信管理装置が、カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定するステップ、
上記広告配信管理装置が、閲覧要求があった通信サイト情報と共に、広告決定手段にて決定した広告を広告配信手段よりユーザ端末へ送信するステップ、
上記ユーザ端末が、広告配信管理装置から送信された通信サイト情報と広告とを通信サイト表示手段にて受信し、さらに通信サイト表示手段がこの広告が掲載されたサイト画面を表示するステップ、
を実行させるコンピュータプログラム。
【手続補正２】
【補正対象書類名】明細書
【補正対象項目名】０００６
【補正方法】変更
【補正の内容】
【０００６】
本発明の第一の広告配信システムは、ユーザがネットワークを通じて閲覧する通信サイト画面に特定の広告を掲載する広告配信システムであって、上記広告の配信を依頼する広告配信者が利用する広告配信者端末と、上記広告が掲載された通信サイトを閲覧するユーザが利用するユーザ端末と、これら上記広告配信者端末及び上記ユーザ端末とネットワークを通じて通信可能に接続された広告配信管理装置とを備え、上記広告配信者端末は、配信を依頼する広告と共に、少なくともこの広告が分類される区分を示すカテゴリ情報を含む広告配信依頼情報の入力を受け付けて広告配信管理装置へ送信する広告配信依頼手段を有し、上記ユーザ端末は、
少なくともユーザにより配信を承認された広告が分類される区分を示すカテゴリ情報を含むユーザ情報の入力を受け付けて広告配信管理装置へ送信する配信承認広告指定手段と、ユーザを特定する識別情報の入力を伴う通信サイトの閲覧要求を受け付け、広告配信管理装置へ送信する通信サイト閲覧要求手段と、ユーザ情報に基づいて決定された広告と閲覧要求した通信サイト情報とを広告配信管理装置より受信し、この広告が掲載されたサイト画面を表示する通信サイト表示手段と、を少なくとも有し、上記広告配信管理装置は、広告配信依頼受付手段にて受信した広告と広告配信依頼情報とを関連付けて記憶する広告配信特定の広告に対して、当該広告の露出率を高める露出率変動情報を記憶する露出率変動情報記憶手段と、広告と広告配信依頼情報とを広告配信者端末から受信する広告配信依頼受付手段と、ユーザ情報をユーザ端末から受信するユーザ情報受付手段と、ユーザ情報受付手段にて受信したユーザ情報にユーザの識別情報を付与して記憶するユーザ情報記憶手段と、ユーザの識別情報を含む通信サイトの閲覧要求をユーザ端末から受信する通信サイト閲覧要求受付手段と、通信サイト閲覧要求受付手段にて受信した閲覧要求からユーザの識別情報を取得し、ユーザ情報記憶部を参照して、この識別情報に基づきカテゴリ情報を抽出するカテゴリ抽出手段と、抽出した複数のカテゴリ情報に固有の番号を割り当て、その中から乱数で、表示対象となる一つのカテゴリ情報を決定するカテゴリ決定手段と、カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、閲覧要求があった通信サイト情報と共に、決定した広告をユーザ端末へ送信する広告配信手段と、を少なくとも有することを特徴とする。
【手続補正３】
【補正対象書類名】明細書
【補正対象項目名】０００７
【補正方法】変更
【補正の内容】
【０００７】
また、本発明の第二の広告配信システムは、ユーザがネットワークを通じて閲覧する通信サイト画面に特定の広告を掲載する広告配信システムであって、上記広告の配信を依頼する広告配信者が利用する広告配信者端末と、上記ユーザが閲覧する通信サイトを提供するサイト管理者が利用するサイト管理者端末と、上記広告が掲載された通信サイトを閲覧するユーザが利用するユーザ端末と、これら上記広告配信者端末、上記サイト管理者端末、及び上記ユーザ端末とネットワークを通じて通信可能に接続された広告配信管理装置とを備え、上記広告配信者端末は、配信を依頼する広告と共に、少なくともこの広告が分類される区分を示すカテゴリ情報を含む広告配信依頼情報の入力を受け付けて広告配信管理装置へ送信する広告配信依頼手段を有し、上記サイト管理者端末は、少なくともサイト管理者が掲載を許諾する広告が分類される区分を示すカテゴリ情報及び広告の掲載先を指定する掲載先情報を含む広告掲載許諾情報の入力を受け付けて広告配信管理装置へ送信する広告掲載許諾サイト指定手段を有し、上記ユーザ端末は、通信サイトの閲覧要求を受け付け、広告配信管理装置へ送信する通信サイト閲覧要求手段と、広告掲載許諾情報に基づいて決定された広告と閲覧要求した通信サイト情報とを広告配信管理装置より受信し、この広告が掲載されたサイト画面を表示する通信サイト表示手段と、を少なくとも有し、上記広告配信管理装置は、広告配信依頼受付手段にて受信した広告と広告配信依頼情報とを関連付けて記憶する広告配信特定の広告に対して、当該広告の露出率を高める露出率変動情報を記憶する露出率変動情報記憶手段と、広告と広告配信依頼情報とを広告配信者端末から受信する広告配信依頼受付手段と、広告配信依頼受付手段にて受信した広告と広告配信依頼情報とを関連付けて記憶する広告配信者情報記憶手段と、広告掲載許諾情報をサイト管理者端末から受信するサイト管理者情報受付手段と、サイト管理者情報受付手段にて受信した広告掲載許諾情報を記憶するサイト管理者情報記憶手段と、通信サイトの閲覧要求をユーザ端末から受信する通信サイト閲覧要求受付手段と、通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、抽出した複数のカテゴリ情報に固有の番号を割り当て、その中から乱数で、表示対象となる一つのカテゴリ情報を決定するカテゴリ決定手段と、カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、閲覧要求があった通信サイト情報と共に、決定した広告をユーザ端末へ送信する広告配信手段と、を少なくとも有することを特徴とする。
【手続補正４】
【補正対象書類名】明細書
【補正対象項目名】０００８
【補正方法】変更
【補正の内容】
【０００８】
また、本発明の第一の広告配信管理装置は、広告の配信を依頼する広告配信者が利用する広告配信者端末と、広告が掲載された通信サイトを閲覧するユーザが利用するユーザ端末と、通信ネットワークを介してそれぞれ接続され、ユーザがネットワークを通じて閲覧する通信サイト画面に特定の広告を掲載する広告配信管理装置であって、広告配信依頼受付手段にて受信した広告と広告配信依頼情報とを関連付けて記憶する広告配信特定の広告に対して、当該広告の露出率を高める露出率変動情報を記憶する露出率変動情報記憶手段と、配信を依頼する広告と、少なくともこの広告が分類される区分を示すカテゴリ情報を含む広告配信依頼情報とを上記広告配信者端末から受信する広告配信依頼受付手段と、広告配信依頼受付手段にて受信した広告と広告配信依頼情報とを関連付けて記憶する広告配信者情報記憶手段と、少なくとも配信を承認する広告が分類される区分を示すカテゴリ情報を含むユーザ情報を上記ユーザ端末から受信するユーザ情報受付手段と、ユーザ情報受付手段にて受信したユーザ情報にユーザの識別情報を付与して記憶するユーザ情報記憶手段と、ユーザの識別情報を含む通信サイトの閲覧要求を上記ユーザ端末から受信する通信サイト閲覧要求受付手段と、通信サイト閲覧要求受付手段にて受信した閲覧要求からユーザの識別情報を取得してユーザ情報記憶部を参照し、この識別情報に基づきカテゴリ情報を抽出するカテゴリ抽出手段と、抽出した複数のカテゴリ情報に固有の番号を割り当て、その中から乱数で、表示対象となる一つのカテゴリ情報を決定するカテゴリ決定手段と、カテゴリ決定手段でのカテゴリ情報の決定後、広告配信者情報記憶部を参照して、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、閲覧要求があった通信サイト情報と共に、決定した広告を上記ユーザ端末へ送信する広告配信手段と、を少なくとも有することを特徴とする。
【手続補正５】
【補正対象書類名】明細書
【補正対象項目名】００１５
【補正方法】削除
【補正の内容】
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
ユーザがネットワークを通じて閲覧する通信サイト画面に特定の広告を掲載する広告配信システムであって、
上記広告の配信を依頼する広告配信者が利用する広告配信者端末と、上記広告が掲載された通信サイトを閲覧するユーザが利用するユーザ端末と、これら上記広告配信者端末及び上記ユーザ端末とネットワークを通じて通信可能に接続された広告配信管理装置とを備え、
上記広告配信者端末は、
配信を依頼する広告と共に、少なくともこの広告が分類される区分を示すカテゴリ情報を含む広告配信依頼情報の入力を受け付けて上記広告配信管理装置へ送信する広告配信依頼手段を有し、
上記ユーザ端末は、
少なくともユーザにより配信を承認された広告が分類される区分を示すカテゴリ情報を含むユーザ情報の入力を受け付けて上記広告配信管理装置へ送信する配信承認広告指定手段と、
ユーザを特定する識別情報の入力を伴う通信サイトの閲覧要求を受け付け、上記広告配信管理装置へ送信する通信サイト閲覧要求手段と、
ユーザ情報に基づいて決定された広告と閲覧要求した通信サイト情報とを上記広告配信管理装置より受信し、この広告が掲載されたサイト画面を表示する通信サイト表示手段と、
を少なくとも有し、
上記広告配信管理装置は、
広告配信依頼受付手段にて受信した広告と広告配信依頼情報とに関連付けて、当該広告の露出率を高める露出率変動情報を記憶する露出率変動情報記憶手段と、
予め通信サイト情報と、通信サイト画面に掲載される広告の掲載枠数情報とを関連付けて記憶するサイト情報記憶手段と、
広告と広告配信依頼情報とを広告配信者端末から受信する広告配信依頼受付手段と、
ユーザ情報をユーザ端末から受信するユーザ情報受付手段と、
ユーザ情報受付手段にて受信したユーザ情報にユーザの識別情報を付与して記憶するユーザ情報記憶手段と、
ユーザの識別情報を含む通信サイトの閲覧要求をユーザ端末から受信する通信サイト閲覧要求受付手段と、
前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、
上記通信サイト閲覧要求受付手段にて受信した閲覧要求からユーザの識別情報を取得し、上記ユーザ情報記憶部を参照して、この識別情報に基づきカテゴリ情報を抽出するカテゴリ抽出手段と、
抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、
上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告をユーザ端末へ送信する広告配信手段と、
を少なくとも有することを特徴とする広告配信システム。
【請求項２】
ユーザがネットワークを通じて閲覧する通信サイト画面に特定の広告を掲載する広告配信システムであって、
上記広告の配信を依頼する広告配信者が利用する広告配信者端末と、上記ユーザが閲覧する通信サイトを提供するサイト管理者が利用するサイト管理者端末と、上記広告が掲載された通信サイトを閲覧するユーザが利用するユーザ端末と、これら上記広告配信者端末、上記サイト管理者端末、及び上記ユーザ端末とネットワークを通じて通信可能に接続された広告配信管理装置とを備え、
上記広告配信者端末は、
配信を依頼する広告と共に、少なくともこの広告が分類される区分を示すカテゴリ情報を含む広告配信依頼情報の入力を受け付けて広告配信管理装置へ送信する広告配信依頼手段を有し、
上記サイト管理者端末は、
少なくともサイト管理者が掲載を許諾する広告が分類される区分を示すカテゴリ情報及び広告の掲載先を指定する掲載先情報を含む広告掲載許諾情報の入力を受け付けて広告配信管理装置へ送信する広告掲載許諾サイト指定手段を有し、
上記ユーザ端末は、
通信サイトの閲覧要求を受け付け、広告配信管理装置へ送信する通信サイト閲覧要求手段と、
広告掲載許諾情報に基づいて決定された広告と閲覧要求した通信サイト情報とを広告配信管理装置より受信し、この広告が掲載されたサイト画面を表示する通信サイト表示手段と、
を少なくとも有し、
上記広告配信管理装置は、
広告配信依頼受付手段にて受信した広告と広告配信依頼情報とに関連付けて、当該広告の露出率を高める露出率変動情報を記憶する露出率変動情報記憶手段と、
広告と広告配信依頼情報とを広告配信者端末から受信する広告配信依頼受付手段と、
広告配信依頼受付手段にて受信した広告と広告配信依頼情報とを関連付けて記憶する広告配信者情報記憶手段と、
予め通信サイト情報と、通信サイト画面に掲載される広告の掲載枠数情報とを関連付けて記憶するサイト情報記憶手段と、
広告掲載許諾情報をサイト管理者端末から受信するサイト管理者情報受付手段と、
サイト管理者情報受付手段にて受信した広告掲載許諾情報を記憶するサイト管理者情報記憶手段と、
通信サイトの閲覧要求をユーザ端末から受信する通信サイト閲覧要求受付手段と、
前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、
通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、
抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、
上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告をユーザ端末へ送信する広告配信手段と、
を少なくとも有することを特徴とする広告配信システム。
【請求項３】
広告の配信を依頼する広告配信者が利用する広告配信者端末と、広告が掲載された通信サイトを閲覧するユーザが利用するユーザ端末と、通信ネットワークを介してそれぞれ接続され、ユーザがネットワークを通じて閲覧する通信サイト画面に特定の広告を掲載する広告配信管理装置であって、
広告配信依頼受付手段にて受信した広告と広告配信依頼情報に関連付けて、当該広告の露出率を高める露出率変動情報を記憶する露出率変動情報記憶手段と、
予め通信サイト情報と、通信サイト画面に掲載される広告の掲載枠数情報とを関連付けて記憶するサイト情報記憶手段と、
配信を依頼する広告と、少なくともこの広告が分類される区分を示すカテゴリ情報を含む広告配信依頼情報とを上記広告配信者端末から受信する広告配信依頼受付手段と、
広告配信依頼受付手段にて受信した広告と広告配信依頼情報とを関連付けて記憶する広告配信者情報記憶手段と、
少なくとも配信を承認する広告が分類される区分を示すカテゴリ情報を含むユーザ情報を上記ユーザ端末から受信するユーザ情報受付手段と、
ユーザ情報受付手段にて受信したユーザ情報にユーザの識別情報を付与して記憶するユーザ情報記憶手段と、
ユーザの識別情報を含む通信サイトの閲覧要求を上記ユーザ端末から受信する通信サイト閲覧要求受付手段と、
前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、
抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、
上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告を上記ユーザ端末へ送信する広告配信手段と、
を少なくとも有することを特徴とする広告配信管理装置。
【請求項４】
前記広告配信依頼受付手段が、広告配信依頼情報として広告の配信先条件を指定する配信先属性情報をさらに受信し、
前記広告配信者情報記憶手段が、広告配信依頼受付手段にて受信した配信先属性情報と広告とを関連付けて記憶し、
前記ユーザ情報受付手段が、ユーザ情報としてユーザ属性情報をさらに受信し、
前記ユーザ情報記憶手段が、ユーザ情報受付手段にて受信したユーザ属性情報とカテゴリ情報とを関連付けて記憶し、
前記カテゴリ抽出手段が、ユーザ情報記憶手段を参照して、カテゴリ情報と共にユーザ属性情報をさらに抽出し、
前記広告決定手段が、広告配信者情報記憶部を参照して、決定したカテゴリ情報に属する広告の中から上記ユーザ属性情報に適合する配信属性を有する一つの広告を決定する
ことを特徴とする請求項３に記載の広告配信管理装置。
【請求項５】
広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載する広告配信管理装置であって、
広告配信依頼受付手段にて受信した広告と広告配信依頼情報に関連付けて、当該広告の露出率を高める露出率変動情報を記憶する露出率変動情報記憶手段と、
予め通信サイト情報と、通信サイト画面に掲載される広告の掲載枠数情報とを関連付けて記憶するサイト情報記憶手段と、
配信を依頼する広告と、少なくともこの広告が分類される区分を示すカテゴリ情報を含む広告配信依頼情報とを上記広告配信者端末から受信する広告配信依頼受付手段と、
広告配信依頼受付手段にて受信した広告と広告配信依頼情報とを関連付けて記憶する広告配信者情報記憶手段と、
少なくともサイト管理者が掲載を許諾する広告が分類される区分を示すカテゴリ情報及び広告の掲載先を指定する掲載先情報を含む広告掲載許諾情報を上記サイト管理者端末から受信するサイト管理者情報受付手段と、
サイト管理者情報受付手段にて受信した広告掲載許諾情報を記憶するサイト管理者情報記憶手段と、
通信サイトの閲覧要求を上記ユーザ端末から受信する通信サイト閲覧要求受付手段と、
前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、
上記通信サイト閲覧要求受付手段にて受信した閲覧要求からユーザの識別情報を取得し、上記ユーザ情報記憶部を参照して、この識別情報に基づきカテゴリ情報を抽出するカテゴリ抽出手段と、
抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、
上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告を上記ユーザ端末へ送信する広告配信手段と、
を少なくとも有することを特徴とする広告配信管理装置。
【請求項６】
前記広告配信依頼受付手段が、広告配信依頼情報として広告の配信先条件を指定する配信先属性情報をさらに受信し、
前記広告配信者情報記憶部が、広告配信依頼受付手段にて受信した配信先属性情報と広告とを関連付けて記憶し、
前記サイト管理者情報受付手段が、広告掲載許諾情報としてユーザ属性情報をさらに受信し、
前記サイト管理者情報記憶部が、サイト管理者情報受付手段にて受信したユーザ属性情報とカテゴリ情報及び掲載先情報とを関連付けて記憶し、
前記カテゴリ抽出手段が、サイト管理者情報記憶部を参照して、カテゴリ情報と共にユーザ属性情報をさらに抽出し、
前記広告決定手段が、広告配信者情報記憶部を参照して、決定したカテゴリ情報に属する広告の中から上記ユーザ属性情報に適合する配信属性を有する一つの広告を決定する、
ことを特徴とする請求項５に記載の広告配信管理装置。
【請求項７】
前記広告配信者情報記憶部が、広告配信依頼受付手段にて受信したカテゴリ情報を階層的に記憶し、
前記カテゴリ決定手段が、カテゴリ情報の階層数に応じてカテゴリ情報の決定を繰り返すことを特徴とする請求項３乃至６の何れか１項に記載の広告配信管理装置。
【請求項８】
広告の配信を依頼する広告配信者が利用する広告配信者端末と、広告が掲載された通信サイトを閲覧するユーザが利用するユーザ端末と、に通信ネットワークを介してそれぞれ接続された広告配信管理装置を備え、ユーザがネットワークを通じて閲覧する通信サイト画面に特定の広告を掲載する広告配信方法であって、
広告配信依頼受付手段にて受信した広告と広告配信依頼情報に関連付けて、当該広告の露出率を高める露出率変動情報を記憶する露出率変動情報記憶手段と、
予め通信サイト情報と、通信サイト画面に掲載される広告の掲載枠数情報とを関連付けて記憶するサイト情報記憶手段と、
配信を依頼する広告と共に、少なくともこの広告が分類される区分を示すカテゴリ情報を含む広告配信依頼情報と、広告と関連付けて記憶する広告配信者情報記憶手段と、
少なくともユーザの識別情報及び、ユーザが配信を承認する広告が分類される区分を示すカテゴリ情報を含むユーザ情報を記憶したユーザ情報受付手段とを有し、
上記広告配信管理装置が、ユーザ端末から送信されたユーザの識別情報を含む通信サイトの閲覧要求を通信サイト閲覧要求受付手段にて受信するステップ、
前記通信サイトの閲覧要求の受信に応じてサイト情報を取得し、上記サイト情報記憶部を参照して、当該通信サイト画面に掲載される広告の掲載枠数情報を広告掲載数特定手段取得にて取得するステップと、
上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、
上記広告配信管理装置が、カテゴリ抽出手段にて抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するテップ、
上記広告配信管理装置が、上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定するステップ、
上記広告配信管理装置が、閲覧要求があった通信サイト情報と共に、広告決定手段にて決定した広告を広告配信手段よりユーザ端末へ送信するステップ、
上記ユーザ端末が、広告配信管理装置から送信された通信サイト情報と広告とを通信サイト表示手段にて受信し、さらに通信サイト表示手段がこの広告が掲載されたサイト画面を表示するステップ、
を少なくとも有することを特徴とする広告配信方法。
【請求項９】
広告の配信を依頼する広告配信者が利用する広告配信者端末と、広告が掲載された通信サイトを閲覧するユーザが利用するユーザ端末と、に通信ネットワークを介してそれぞれ接続され、
広告配信依頼受付手段にて受信した広告と広告配信依頼情報に関連付けて、当該広告の露出率を高める露出率変動情報を記憶する露出率変動情報記憶手段と、
予め通信サイト情報と、通信サイト画面に掲載される広告の掲載枠数情報とを関連付けて記憶するサイト情報記憶手段と、
配信を依頼する広告と共に、少なくともこの広告が分類される区分を示すカテゴリ情報を含む広告配信依頼情報と、広告と関連付けて記憶する広告配信者情報記憶手段と、
少なくともユーザの識別情報及び、ユーザが配信を承認する広告が分類される区分を示すカテゴリ情報を含むユーザ情報を記憶したユーザ情報受付手段とを有するコンピュータを広告配信装置として機能させるためのコンピュータプログラムであって、
上記コンピュータに対して、
上記広告配信管理装置が、ユーザ端末から送信されたユーザの識別情報を含む通信サイトの閲覧要求を通信サイト閲覧要求受付手段にて受信するステップ、
前記通信サイトの閲覧要求の受信に応じてサイト情報を取得し、上記サイト情報記憶部を参照して、当該通信サイト画面に掲載される広告の掲載枠数情報を広告掲載数特定手段取得にて取得するステップと、
上記広告配信管理装置が、通信サイト閲覧要求受付手段にて受信した閲覧要求からユーザの識別情報をカテゴリ抽出手段にて取得し、さらにカテゴリ抽出手段がユーザ情報記憶部を参照して、この識別情報に基づきカテゴリ情報を抽出するステップ、
上記広告配信管理装置が、カテゴリ抽出手段にて抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するテップ、
上記広告配信管理装置が、上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定するステップ、
上記広告配信管理装置が、閲覧要求があった通信サイト情報と共に、広告決定手段にて決定した広告を広告配信手段よりユーザ端末へ送信するステップ、
上記ユーザ端末が、広告配信管理装置から送信された通信サイト情報と広告とを通信サイト表示手段にて受信し、さらに通信サイト表示手段がこの広告が掲載されたサイト画面を表示するステップ、
を実行させるコンピュータプログラム。
【手続補正２】
【補正対象書類名】明細書
【補正対象項目名】０００６
【補正方法】変更
【補正の内容】
【０００６】
本発明の第一の広告配信システムは、ユーザがネットワークを通じて閲覧する通信サイト画面に特定の広告を掲載する広告配信システムであって、上記広告の配信を依頼する広告配信者が利用する広告配信者端末と、上記広告が掲載された通信サイトを閲覧するユーザが利用するユーザ端末と、これら上記広告配信者端末及び上記ユーザ端末とネットワークを通じて通信可能に接続された広告配信管理装置とを備え、上記広告配信者端末は、配信を依頼する広告と共に、少なくともこの広告が分類される区分を示すカテゴリ情報を含む広告配信依頼情報の入力を受け付けて上記広告配信管理装置へ送信する広告配信依頼手段を有し、上記ユーザ端末は、少なくともユーザにより配信を承認された広告が分類される区分を示すカテゴリ情報を含むユーザ情報の入力を受け付けて上記広告配信管理装置へ送信する配信承認広告指定手段と、ユーザを特定する識別情報の入力を伴う通信サイトの閲覧要求を受け付け、上記広告配信管理装置へ送信する通信サイト閲覧要求手段と、ユーザ情報に基づいて決定された広告と閲覧要求した通信サイト情報とを上記広告配信管理装置より受信し、この広告が掲載されたサイト画面を表示する通信サイト表示手段と、を少なくとも有し、上記広告配信管理装置は、広告配信依頼受付手段にて受信した広告と広告配信依頼情報とに関連付けて、当該広告の露出率を高める露出率変動情報を記憶する露出率変動情報記憶手段と、予め通信サイト情報と、通信サイト画面に掲載される広告の掲載枠数情報とを関連付けて記憶するサイト情報記憶手段と、広告と広告配信依頼情報とを広告配信者端末から受信する広告配信依頼受付手段と、ユーザ情報をユーザ端末から受信するユーザ情報受付手段と、ユーザ情報受付手段にて受信したユーザ情報にユーザの識別情報を付与して記憶するユーザ情報記憶手段と、ユーザの識別情報を含む通信サイトの閲覧要求をユーザ端末から受信する通信サイト閲覧要求受付手段と、前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、
上記通信サイト閲覧要求受付手段にて受信した閲覧要求からユーザの識別情報を取得し、上記ユーザ情報記憶部を参照して、この識別情報に基づきカテゴリ情報を抽出するカテゴリ抽出手段と、
抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、
上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、
閲覧要求があった通信サイト情報と共に、決定した広告をユーザ端末へ送信する広告配信手段と、
を少なくとも有することを特徴とする
【手続補正３】
【補正対象書類名】明細書
【補正対象項目名】０００７
【補正方法】変更
【補正の内容】
【０００７】
また、本発明の第二の広告配信システムは、ユーザがネットワークを通じて閲覧する通信サイト画面に特定の広告を掲載する広告配信システムであって、上記広告の配信を依頼する広告配信者が利用する広告配信者端末と、上記ユーザが閲覧する通信サイトを提供するサイト管理者が利用するサイト管理者端末と、上記広告が掲載された通信サイトを閲覧するユーザが利用するユーザ端末と、これら上記広告配信者端末、上記サイト管理者端末、及び上記ユーザ端末とネットワークを通じて通信可能に接続された広告配信管理装置とを備え、上記広告配信者端末は、配信を依頼する広告と共に、少なくともこの広告が分類される区分を示すカテゴリ情報を含む広告配信依頼情報の入力を受け付けて広告配信管理装置へ送信する広告配信依頼手段を有し、上記サイト管理者端末は、少なくともサイト管理者が掲載を許諾する広告が分類される区分を示すカテゴリ情報及び広告の掲載先を指定する掲載先情報を含む広告掲載許諾情報の入力を受け付けて広告配信管理装置へ送信する広告掲載許諾サイト指定手段を有し、上記ユーザ端末は、通信サイトの閲覧要求を受け付け、広告配信管理装置へ送信する通信サイト閲覧要求手段と、広告掲載許諾情報に基づいて決定された広告と閲覧要求した通信サイト情報とを広告配信管理装置より受信し、この広告が掲載されたサイト画面を表示する通信サイト表示手段と、を少なくとも有し、上記広告配信管理装置は、広告配信依頼受付手段にて受信した広告と広告配信依頼情報とに関連付けて、当該広告の露出率を高める露出率変動情報を記憶する露出率変動情報記憶手段と、広告と広告配信依頼情報とを広告配信者端末から受信する広告配信依頼受付手段と、広告配信依頼受付手段にて受信した広告と広告配信依頼情報とを関連付けて記憶する広告配信者情報記憶手段と、予め通信サイト情報と、通信サイト画面に掲載される広告の掲載枠数情報とを関連付けて記憶するサイト情報記憶手段と、広告掲載許諾情報をサイト管理者端末から受信するサイト管理者情報受付手段と、サイト管理者情報受付手段にて受信した広告掲載許諾情報を記憶するサイト管理者情報記憶手段と、通信サイトの閲覧要求をユーザ端末から受信する通信サイト閲覧要求受付手段と、前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、通信サイト閲覧要求受付手段にて受信した閲覧要求があった通信サイトを広告の掲載先としてサイト管理者情報記憶部を参照し、掲載先情報に基づきカテゴリ情報を抽出するカテゴリ抽出手段と、抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、閲覧要求があった通信サイト情報と共に、決定した広告をユーザ端末へ送信する広告配信手段とを少なくとも有することを特徴とする。
【手続補正４】
【補正対象書類名】明細書
【補正対象項目名】０００８
【補正方法】変更
【補正の内容】
【０００８】
また、本発明の第一の広告情報配信管理装置は、広告の配信を依頼する広告配信者が利用する広告配信者端末と、広告が掲載された通信サイトを閲覧するユーザが利用するユーザ端末と、通信ネットワークを介してそれぞれ接続され、ユーザがネットワークを通じて閲覧する通信サイト画面に特定の広告を掲載する広告配信管理装置であって、広告配信依頼受付手段にて受信した広告と広告配信依頼情報に関連付けて、当該広告の露出率を高める露出率変動情報を記憶する露出率変動情報記憶手段と、予め通信サイト情報と、通信サイト画面に掲載される広告の掲載枠数情報とを関連付けて記憶するサイト情報記憶手段と、配信を依頼する広告と、少なくともこの広告が分類される区分を示すカテゴリ情報を含む広告配信依頼情報とを上記広告配信者端末から受信する広告配信依頼受付手段と、広告配信依頼受付手段にて受信した広告と広告配信依頼情報とを関連付けて記憶する広告配信者情報記憶手段と、少なくとも配信を承認する広告が分類される区分を示すカテゴリ情報を含むユーザ情報を上記ユーザ端末から受信するユーザ情報受付手段と、ユーザ情報受付手段にて受信したユーザ情報にユーザの識別情報を付与して記憶するユーザ情報記憶手段と、ユーザの識別情報を含む通信サイトの閲覧要求を上記ユーザ端末から受信する通信サイト閲覧要求受付手段と、前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、閲覧要求があった通信サイト情報と共に、決定した広告を上記ユーザ端末へ送信する広告配信手段と、を少なくとも有することを特徴とする。
【手続補正５】
【補正対象書類名】明細書
【補正対象項目名】００１０
【補正方法】変更
【補正の内容】
【００１０】
また、本発明の第二の広告配信管理装置は、広告の配信を依頼する広告配信者が利用する広告配信者端末と、ユーザが閲覧する通信サイトを提供するサイト管理者が利用するサイト管理者端末と、広告が掲載された通信サイトを閲覧するユーザが利用するユーザ端末と、に通信ネットワークを介してそれぞれ接続され、ユーザがネットワークを通じて閲覧する通信サイト画面に特定の広告を掲載する広告配信管理装置であって、広告配信依頼受付手段にて受信した広告と広告配信依頼情報に関連付けて、当該広告の露出率を高める露出率変動情報を記憶する露出率変動情報記憶手段と、予め通信サイト情報と、通信サイト画面に掲載される広告の掲載枠数情報とを関連付けて記憶するサイト情報記憶手段と、配信を依頼する広告と、少なくともこの広告が分類される区分を示すカテゴリ情報を含む広告配信依頼情報とを上記広告配信者端末から受信する広告配信依頼受付手段と、広告配信依頼受付手段にて受信した広告と広告配信依頼情報とを関連付けて記憶する広告配信者情報記憶手段と、少なくともサイト管理者が掲載を許諾する広告が分類される区分を示すカテゴリ情報及び広告の掲載先を指定する掲載先情報を含む広告掲載許諾情報を上記サイト管理者端末から受信するサイト管理者情報受付手段と、サイト管理者情報受付手段にて受信した広告掲載許諾情報を記憶するサイト管理者情報記憶手段と、通信サイトの閲覧要求を上記ユーザ端末から受信する通信サイト閲覧要求受付手段と、前記通信サイト閲覧要求受付手段での通信サイトの閲覧要求の受信に応じてサイト情報を取得し、上記サイト情報記憶部を参照して、当該通信サイト画面に掲載される広告の掲載枠数情報を取得する広告掲載数特定手段と、上記通信サイト閲覧要求受付手段にて受信した閲覧要求からユーザの識別情報を取得し、上記ユーザ情報記憶部を参照して、この識別情報に基づきカテゴリ情報を抽出するカテゴリ抽出手段と、抽出した複数のカテゴリ情報に固有の番号を割り当て、その中から乱数で、上記広告掲載数特定手段にて特定された広告掲載枠数に応じてカテゴリ情報の決定を繰り返すことで、広告掲載枠数に応じた表示対象となるカテゴリ情報を決定するカテゴリ決定手段と、上記カテゴリ決定手段でのカテゴリ情報の決定後、上記広告配信者情報記憶部を参照して、上記決定された上記各広告掲載枠ごとに、上記決定されたカテゴリ情報に属する全ての広告を取得すると共に、上記露出率変動情報記憶手段を参照して広告に対して設定されている露出率変動情報に応じて広告情報の選択される確率を高くしたうえで、表示する広告を選択して決定する広告決定手段と、閲覧要求があった通信サイト情報と共に、決定した広告を上記ユーザ端末へ送信する広告配信手段と、を少なくとも有することを特徴とする。